(57)【特許請求の範囲】
【請求項１】
第1のリソースブロックを使用して第1のメディアアクセス制御（MAC）プロトコルデータユニット（PDU）を送信するよう構成された送信ユニットであって、前記第1のMAC PDUが、第1の端末装置が前記第1のリソースブロックを予約することを期待することを示すように、第1の予約インジケータフィールドを搬送する、送信ユニットと、
第2の端末装置のセットによって第2のリソースブロックを使用して送信された第2のMAC PDUを受信するよう構成される受信ユニットであって、第2の端末装置の前記セットは少なくとも1つの第2の端末装置を備え、前記第2のMAC PDUは、第1のリソース・フィードバック・フィールドを搬送し、前記第1のリソースブロックの予約が成功したか否かを示す、受信ユニットと、
前記受信ユニットによって受信され、第2の端末装置の前記セット内の前記第2の端末装置によって送信される前記第1のリソース・フィードバック・フィールドに従って、前記第1のリソース・フィードバック・フィールドが前記第1のリソースブロックの予約が成功したか否かを示す場合に、前記第1のMAC PDUを送信するために前記送信ユニットによって使用される前記第1のリソースブロックが新たなMAC PDUを送信するために使用されるリソースブロックであることを判定するよう構成される判定ユニットであって、
前記送信ユニットが、前記判定ユニットによって判定された前記第1のリソースブロックを使用することによって前記新たなMAC PDUを送信するようさらに構成される、判定ユニットと、
を備え、
前記受信ユニットによって受信された前記第2のMAC PDUで搬送される前記第1のリソース・フィードバック・フィールドが、前記第1のリソースブロックの予約が成功していないことを示す場合に、前記判定ユニットが、前記受信ユニットによって受信され、前記第2の端末装置のセット内の前記第2の端末装置によって送信された、前記第1のリソース・フィードバック・フィールドおよび前記第2の予約インジケータフィールドに従って、コンテンション・リソース・プールから、新たなリソースブロックを前記新たなMAC PDUを送信するために使用するリソースブロックと判定するようさらに構成され、
前記受信ユニットによって受信された前記第2のMAC PDUで搬送される前記第1のリソース・フィードバック・フィールドが、前記第1のリソースブロックの予約が成功していないことを示す場合に、前記送信ユニットが、前記判定ユニットによって判定された前記新たなリソースブロックを使用することによって前記新たなMAC PDUを送信するようさらに構成される、
第1の端末装置。
【請求項２】
前記受信ユニットによって受信された前記第2のMAC PDUは、前記第2の端末装置が前記第2のリソースブロックを予約することを期待することを示すように、第2の予約インジケータフィールドをさらに搬送する、
請求項1に記載の第1の端末装置。
【請求項３】
データ伝送方法であって、
第1の端末装置によって、第1のリソースブロックを使用することにより第1のメディアアクセス制御（MAC）プロトコルデータユニット（PDU）を送信するステップであって、前記第1のMAC PDUが、前記第1の端末装置が前記第1のリソースブロックを予約することを期待することを示すように、第1の予約インジケータフィールドを搬送する、ステップと、
前記第1の端末装置によって、第2の端末装置のセットにより第2のリソースブロックを使用することによって送信された第2のMAC PDUを受信するステップであって、第2の端末装置の前記セットが、少なくとも1つの第2の端末装置を備え、前記第2のMAC PDUが、第1のリソース・フィードバック・フィールドを搬送して、前記第1のリソースブロックの予約が成功したか否かを示す、ステップと、
第2の端末装置の前記セット内の前記第2の端末装置によって送信された前記第1のリソース・フィードバック・フィールドに従って、前記第1のリソース・フィードバック・フィールドが前記第1のリソースブロックの予約が成功したか否かを示す場合に、前記第1の端末装置によって、前記第1のリソースブロックが新たなMAC PDUを送信するために使用されるリソースブロックであると判定するステップと、
前記第1の端末装置によって、前記第1のリソースブロックを使用することにより前記新たなMAC PDUを送信するステップと、を備え、  前記第1のリソース・フィードバック・フィールドが、前記第1のリソースブロックの予約が成功していないことを示す場合に、第2の端末装置の前記セット内の前記第2の端末装置によって送信された前記第1のリソース・フィードバック・フィールドと第2の端末装置の前記セット内の全ての前記第2の端末装置によって送信された前記第2の予約インジケータフィールドとに従ってコンテンション・リソース・プールから前記第1の端末装置によって、前記新たなMAC PDUを送信するために使用される前記リソースブロックとして新たなリソースブロックを判定するステップと、
前記第1のリソース・フィードバック・フィールドが、前記第1のリソースブロックの予約が成功していないことを示す場合に、前記第1の端末装置によって、前記新たなリソースブロックを使用することで前記新たなMAC PDUを送信するステップと、
をさらに備える、
データ伝送方法。
【請求項４】
前記第2のMAC PDUは、前記第2の端末装置に前記第2のリソースブロックを予約するよう指示するために、第2の予約インジケータフィールドをさらに搬送する、
請求項3に記載の方法。
【発明の詳細な説明】
【技術分野】
【０００１】
本発明は、通信分野に関し、特に、端末装置、ネットワーク装置、およびデータ伝送方法に関する。
【背景技術】
【０００２】
社会が発展し続けると、自動車がますます普及していく。運転は人々が旅行をすることを容易にするが、交通事故が頻繁に発生するなどの悪影響も引き起こす。交通事故の発生確率を低減させるために、車両は、車両対車両（英語：Vehicle to Vehicle、略して、V2V）通信によって、他の車両によってもたらされる車速、走行方向、特定の位置、緊急ブレーキが適用されているか否かについての情報などを含むV2V情報を取得し、取得したV2V情報に基づいて道路状況情報を学習することができる。この場合、ドライバは、取得した道路状況情報に応じて、視界を越えた交通状況をより良く知覚し、適時に危険を事前に判断し回避することができる。
【０００３】
ロング・ターム・エボリューション（英語：Long Term Evolution、略して、LTE）が現在主流の無線通信技術であることはよく知られている。端末間（英語：Device to Device、略して、D2D）技術は重要な機能とみなされ、標準化されている。D2D技術は、端末装置の間の直接通信をサポートする。したがって、D2D技術を用いて車両の間でV2V情報を送信することができる。具体的には、D2D技術を用いてV2V情報を送信する場合、まず、車両は、リソースプールからリソースブロックをランダムに選択し、次いで、選択したリソースブロックを用いて、送信する必要があるV2V情報を送信する必要がある。
【０００４】
先行技術は、少なくとも以下の問題を有し、すなわち、D2D技術を用いてV2V情報を送信する場合、車両は、ランダム選択を行うフリーコンテンション機構を用い、すなわち、リソースプールからV2V情報を送信するのに必要なリソースとしてリソースブロックをランダムに選択する。しかしながら、この機構では、複数の隣接車両は、複数の隣接車両のV2V情報を送信するために同じリソースブロックを選択する可能性がある。その結果、送信リソースの衝突が発生し、別の車両は、復調することにより、車両から送信されたV2V情報を正常に取得することができない。さらに、より多くの車両が存在するので、送信リソースの衝突はさらに深刻である。これは、伝送効率が比較的低下するという問題を引き起こす。
【発明の概要】
【０００５】
本発明は、送信リソースの衝突により送信効率が比較的低下する問題を解決するために、端末装置、ネットワーク装置、およびデータ伝送方法を提供する。
【課題を解決するための手段】
【０００６】
本発明の第1の態様によれば、第1の端末装置が提供され、
第1のリソースブロックを使用して第1のメディアアクセス制御MACプロトコルデータユニットPDUを送信するよう構成された送信ユニットであって、第1の端末装置に第1のリソースブロックを予約するよう指示するために、第1のMAC PDUが第1の予約インジケータフィールドを搬送する、送信ユニットと、
第2の端末装置のセットによって第2のリソースブロックを使用して送信された第2のMAC PDUを受信するよう構成される受信ユニットであって、第2の端末装置のセットは少なくとも1つの第2の端末装置を含み、第2のMAC PDUは、第1のリソース・フィードバック・フィールドを搬送し、第1のリソースブロックが正常に予約されたことを示す、受信ユニットと、
受信ユニットによって受信され、第2の端末装置のセット内の第2の端末装置によって送信される第1のリソース・フィードバック・フィールドに従って、第1のMAC PDUを送信するために送信ユニットによって使用される第1のリソースブロックが新たなMAC PDUを送信するために使用されるリソースブロックであることを判定するよう構成される判定ユニットであって、
送信ユニットが、判定ユニットによって判定された第1のリソースブロックを使用することによって新たなMAC PDUを送信するようさらに構成される、判定ユニットと、
を含む。
【０００７】
第1の態様を参照すると、可能な実装態様において、
受信ユニットによって受信された第2のMAC PDUは、第2の端末装置に第2のリソースブロックを予約するよう指示するために、第2の予約インジケータフィールドをさらに搬送する。
【０００８】
第1の態様または前述の可能な実装態様に関して、別の可能な実装態様では、受信ユニットによって受信された第2のMAC PDUで搬送される第1のリソース・フィードバック・フィールドは、第1のリソースブロックが正常に予約されていないことを示すために使用され、
判定ユニットが、受信ユニットによって受信された第1のリソース・フィードバック・フィールドおよび第2の予約インジケータフィールドに従ってコンテンション・リソース・プールから、新たなリソースブロックを新たなMAC PDUを送信するために使用するリソースブロックと判定するようさらに構成され、第1のリソース・フィードバック・フィールドが、第2の端末装置のセット内の第2の端末装置によって送信され、第2の予約インジケータフィールドが、第2の端末装置のセット内の全ての第2の端末装置によって送信され、
送信ユニットが、判定ユニットによって判定された新たなリソースブロックを使用することによって新たなMAC PDUを送信するようさらに構成される。
【０００９】
第1の態様または前述の可能な実装態様に関して、別の可能な実装態様において、第1の端末装置は、
第1のリソースブロックを用いて送信ユニットが第1のメディアアクセス制御MACプロトコルデータユニットPDUを送信する前に、構成情報を取得するよう構成された取得ユニットであって、構成情報が、予約指示情報を含み、
判定ユニットが、取得ユニットによって取得された予約指示情報に従ってタイマの時計時刻を判定するようさらに構成され、時計時刻は、第1の端末装置が第1のリソースブロックを予約する期間である、取得ユニットと、
送信ユニットが第1のリソースブロックを用いて第1のMAC PDUを送信した場合に、タイマを起動させるよう構成される起動ユニットであって、
判定ユニットが、起動ユニットによって起動されたタイマが時計を停止しない場合に、受信ユニットによって受信され、第2の端末装置のセット内の第2の端末装置によって送信される第1のリソース・フィードバック・フィールドに従って、第1のMAC PDUを送信するために送信ユニットによって使用される第1のリソースブロックが新たなMAC PDUを送信するために使用されるリソースブロックであると判定するよう特に構成される、起動ユニットと、
をさらに含む。
【００１０】
第1の態様または前述の可能な実装態様に関して、別の可能な実装態様において、
判定ユニットは、起動ユニットにより起動されたタイマが計時を停止した場合に、受信ユニットが受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定するよう特に構成され、第1のリソース・フィードバック・フィールドが第2の端末装置のセット内の第2の端末装置によって送信され、第2の予約インジケータフィールドが第2の端末装置のセット内の全ての第2の端末装置によって送信される。
【００１１】
第1の態様または前述の可能な実装態様に関して、別の可能な実装態様において、第1の端末装置は、
第1のリソースブロックを用いて送信ユニットが第1のメディアアクセス制御MACプロトコルデータユニットPDUを送信する前に、構成情報を取得するよう構成された取得ユニットであって、構成情報が、予約指示情報を含み、
判定ユニットが、取得ユニットによって取得された予約指示情報に従ってタイマの時計時刻を判定するようさらに構成され、時計時刻は、第1の端末装置が第1のリソースブロックを予約する期間である、取得ユニットと、
送信ユニットが第1のリソースブロックを用いて第1のMAC PDUを送信した場合に、タイマを起動させるよう構成される起動ユニットであって、
判定ユニットが、起動ユニットによって起動されたタイマが時計を止めた場合、または起動ユニットによって起動されたタイマが時計を止めない場合、受信ユニットによって受信された第1のリソース・フィードバック・フィールドおよび第2の予約インジケータフィールドに従ってコンテンション・リソース・プールから、新たなMAC PDUを送信するのに使用されるリソースブロックとして新たなリソースブロックを判定するよう特に構成され、第1のリソース・フィードバック・フィールドが第2の端末装置のセット内の第2の端末装置によって送信され、第2の予約インジケータフィールドが第2の端末装置のセット内の全ての第2の端末装置によって送信される、起動ユニットと、
をさらに含む。
【００１２】
第1の態様または前述の可能な実装態様を参照すると、別の可能な実装態様では、取得ユニットによって取得された予約指示情報は、予約可能期間または予約可能期間範囲を示すために、予約期間指示情報を含み、
判定ユニットは、
取得ユニットによって取得された予約期間指示情報が、予約可能期間を示すために使用される場合、取得ユニットによって取得された予約期間指示情報に従って、予約可能期間が、タイマの時計時刻であると判定するか、または取得ユニットによって取得された予約期間指示情報が予約可能期間範囲を示すために使用される場合、取得ユニットによって取得された予約期間指示情報に従って、予約可能期間範囲内の任意の期間がタイマの時計時刻であると判定する、
よう特に構成される。
【００１３】
第1の態様または前述の可能な実装態様に関して、別の可能な実装態様において、第1の端末装置は、
第1のリソースブロックを用いて送信ユニットが第1のメディアアクセス制御MACプロトコルデータユニットPDUを送信する前に、構成情報を取得するよう構成された取得ユニットであって、構成情報が予約指示情報を含む、取得ユニットをさらに含み、
判定ユニットが、取得ユニットによって取得された予約指示情報に従って予約期間を判定するようさらに構成され、予約期間が、第1の端末装置が第1のリソースブロックを予約した期間であり、
送信ユニットによって送信された第1のMAC PDUで搬送される第1の予約インジケータフィールドが、時間パラメータを指示するためにさらに使用され、時間パラメータが、0以上であり、時間パラメータが、予約期間を示すために使用され、
判定ユニットが、時間パラメータが0ではない場合に、受信ユニットによって受信されて、第2の端末装置のセット内の第2の端末装置によって送信される第1のリソース・フィードバック・フィールドに従って、第1のMAC PDUを送信するために送信ユニットによって使用される第1のリソースブロックが新たなMAC PDUを送信するために使用されるリソースブロックであると判定するよう特に構成される。
【００１４】
第1の態様または前述の可能な実装態様に関して、別の可能な実装態様において、
判定ユニットは、時間パラメータが0である場合に、受信ユニットが受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定するよう特に構成され、第1のリソース・フィードバック・フィールドが第2の端末装置のセット内の第2の端末装置によって送信され、第2の予約インジケータフィールドが第2の端末装置のセット内の全ての第2の端末装置によって送信される。
【００１５】
第1の態様または前述の可能な実装態様に関して、別の可能な実装態様において、第1の端末装置は、
第1のリソースブロックを用いて送信ユニットが第1のメディアアクセス制御MACプロトコルデータユニットPDUを送信する前に、構成情報を取得するよう構成された取得ユニットであって、構成情報が予約指示情報を含む、取得ユニットをさらに含み、
判定ユニットが、取得ユニットによって取得された予約指示情報に従って予約期間を判定するようさらに構成され、予約期間が、第1の端末装置が第1のリソースブロックを予約した期間であり、
送信ユニットによって送信された第1のMAC PDUで搬送される第1の予約インジケータフィールドが、時間パラメータを指示するためにさらに使用され、時間パラメータが、0以上であり、時間パラメータが、予約期間を示すために使用され、
判定ユニットが、時間パラメータが0である場合か、または時間パラメータが0ではない場合、受信ユニットによって受信された第1のリソース・フィードバック・フィールドおよび第2の予約インジケータフィールドに従ってコンテンション・リソース・プールから、新たなMAC PDUを送信するために使用されるリソースブロックとして新たなリソースブロックを判定するよう特に構成され、第1のリソース・フィードバック・フィールドが、第2の端末装置のセット内の第2の端末装置によって送信され、第2の予約インジケータフィールドが、第2の端末装置のセット内の全ての第2の端末装置によって送信される。
【００１６】
第1の態様または前述の可能な実装態様を参照すると、別の可能な実装態様において、第1の端末装置は、
判定ユニットによって判定された予約期間に従って、送信ユニットが第1のリソースブロックを使用することによって第1のメディアアクセス制御MACプロトコルデータユニットPDUを送信する前に、第1の予約インジケータフィールドを構成するよう構成される、構成ユニット
をさらに含む。
【００１７】
第1の態様または前述の可能な実装態様を参照すると、別の可能な実装態様において、取得ユニットによって取得された予約指示情報は、予約可能期間もしくは予約可能期間範囲を示すために、予約期間指示情報を含み、または取得ユニットによって取得された予約指示情報が、予約期間指示情報および予約インジケータフィールド長を搬送する情報を含み、
判定ユニットが、
取得ユニットによって取得された予約指示情報が予約期間指示情報を含み、予約期間指示情報が予約期間を指示するために使用される場合、取得ユニットによって取得された予約期間指示情報に従って、予約可能期間が予約期間であると判定し、または取得ユニットによって取得された予約指示情報が予約期間指示情報を含み、予約期間指示情報が予約可能期間範囲を示すために使用される場合、取得ユニットによって取得された予約期間指示情報に従って、予約可能期間範囲内の任意の期間が予約期間であると判定し、または取得ユニットによって取得された予約指示情報が予約期間指示情報と、予約インジケータフィールド長を搬送する情報とを含む場合、予約範囲指示情報と、取得ユニットによって取得された予約インジケータフィールド長を搬送する情報とに従って予約期間を判定する、
よう特に構成される。
【００１８】
第1の態様または前述の可能な実装態様を参照すると、別の可能な実装態様において、第1の端末装置は、
送信ユニットが第1のリソースブロックを使用して第1のメディアアクセス制御MACプロトコルデータユニットPDUを送信する前に、コンテンション・リソース・プールを監視するよう構成された監視ユニット
をさらに備え、
判定ユニットが、コンテンション・リソース・プール内のリソースブロックの予約状況であり、監視することで監視ユニットによって取得される、予約状況に従って第2のリソース・フィードバック・フィールドを判定するようさらに構成され、第2のリソース・フィードバック・フィールドが、第1のMAC PDUが送信される前にコンテンション・リソース・プール内のリソースブロックの予約状況を示すために使用され、
第1のリソースブロックを使用して送信ユニットによって送信される第1のMAC PDUが第2のリソース・フィードバック・フィールドをさらに搬送する。
【００１９】
第1の態様または前述の可能な実装態様を参照すると、別の可能な実装態様において、取得ユニットによって取得された構成情報は、リソースフィードバック情報をさらに含み、
判定ユニットが、取得ユニットによって取得されたリソースフィードバック情報と、コンテンション・リソース・プール内のリソースブロックの予約状況であり、監視することで監視ユニットによって取得された予約状況とに従って、第2のリソース・フィードバック・フィールドを生成するよう特に構成される。
【００２０】
第1の態様または前述の可能な実装態様を参照すると、別の可能な実装態様において、取得ユニットによって取得されたリソースフィードバック情報は、リソース・フィードバック・フィールドを搬送するための状況についての情報および／またはリソース・フィードバック・フィールド長を搬送する情報を含み、
判定ユニットは、
取得ユニットによって取得されたリソースフィードバック情報がリソース・フィードバック・フィールドを搬送するための状況についての情報を含む場合、リソース・フィードバック・フィールドを搬送するための状況についての情報であり、取得ユニットによって取得された情報であると判定された場合、リソース・フィードバック・フィールド長を搬送する所定の情報に従って、およびコンテンション・リソース・プール内のリソースブロックの予約状況であって、監視することで監視ユニットにより取得される予約状況に従って、第2のリソース・フィードバック・フィールドを生成するか、または取得ユニットによって取得されたリソースフィードバック情報が、リソース・フィードバック・フィールド長を搬送する情報を含む場合、リソース・フィードバック・フィールド長を搬送し、取得ユニットによって取得されたリソースフィードバック情報に含まれる情報に従って、およびコンテンション・リソース・プール内のリソースブロックの予約状況であり、監視することで監視ユニットによって取得される予約状況に従って、第2のリソース・フィードバック・フィールドを生成するか、または取得ユニットによって取得されたリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であり、取得ユニットによって取得されたものであると判定された場合、リソース・フィードバック・フィールド長を搬送し、取得ユニットによって取得されたリソースフィードバック情報に含まれる情報に従って、およびコンテンション・リソース・プール内のリソースブロックの予約状況であり、監視することで監視ユニットによって取得される予約状況に従って、第2のリソース・フィードバック・フィールドを生成する、
よう特に構成される。
【００２１】
第1の態様または前述の可能な実装態様を参照すると、別の可能な実装態様において、
取得ユニットは、所定の構成情報を取得するか、またはネットワーク装置によって送信された構成情報を受信するよう特に構成される。
【００２２】
第1の態様または前述の可能な実装態様を参照すると、別の可能な実装態様において、
第1の予約インジケータフィールドが、送信ユニットによって送信された第1のMAC PDUのMACヘッダに含まれ、
MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、送信ユニットによって送信された第1のMAC PDUのMACヘッダに含まれる。
【００２３】
第1の態様または前述の可能な実装態様を参照すると、別の可能な実装態様において、
送信ユニットによって送信された第1のMAC PDUが第1の予約インジケータフィールドを搬送する場合、第1の予約インジケータフィールドは、送信ユニットによって送信された第1のMAC PDUのペイロードpayloadフィールドに含まれ、送信ユニットによって送信された第1のMAC PDUのMACヘッダがMACサブヘッダを含み、MACサブヘッダに対応するデータが第1の予約インジケータフィールドであることを示し、または送信ユニットによって送信された第1のMAC PDUが第1の予約インジケータフィールドと第2のリソース・フィードバック・フィールドとを搬送する場合、第1の予約インジケータフィールドおよび第2のリソース・フィードバック・フィールドは、送信ユニットによって送信された第1のMAC PDUのpayloadフィールドに含まれ、送信ユニットによって送信された第1のMAC PDUのMACヘッダがMACサブヘッダを含み、MACサブヘッダに対応するデータが第1の予約インジケータフィールドおよび第2のリソース・フィードバック・フィールドであることを示す。
【００２４】
本発明の第2の態様によれば、ネットワーク装置が提供され、ネットワーク装置は、構成情報を第1の端末装置に送信するよう構成された送信ユニットであって、構成情報は予約指示情報を含む、送信ユニットを含む。
【００２５】
第2の態様を参照すると、可能な実装態様において、送信ユニットによって送信される予約指示情報は、予約可能期間もしくは予約可能期間範囲を示すために、予約期間指示情報を含み、または
送信ユニットによって送信された予約指示情報は、予約期間指示情報と予約インジケータフィールド長を搬送する情報とを含む。
【００２６】
第2の態様または前述の可能な実装態様を参照すると、別の可能な実装態様において、
送信ユニットによって送信された構成情報は、リソースフィードバック情報をさらに含み、リソースフィードバック情報は、リソース・フィードバック・フィールドを搬送するための状況についての情報および／またはリソース・フィードバック・フィールド長を搬送する情報を含む。
【００２７】
第2の態様または前述の可能な実装態様を参照すると、別の可能な実装態様において、
送信ユニットは、システム情報または無線リソース制御RRCシグナリングを使用することによって、構成情報を第1の端末装置に送信するよう特に構成される。
【００２８】
本発明の第3の態様によれば、データ伝送方法が提供され、データ伝送方法は、
第1の端末装置によって、第1のリソースブロックを使用することにより第1のメディアアクセス制御MACプロトコルデータユニットPDUを送信するステップであって、第1のMAC PDUが、第1の端末装置に第1のリソースブロックを予約するよう指示するために、第1の予約インジケータフィールドを搬送する、ステップと、
第1の端末装置によって、第2の端末装置のセットにより第2のリソースブロックを使用することによって送信された第2のMAC PDUを受信するステップであって、第2の端末装置のセットが、少なくとも1つの第2の端末装置を含み、第2のMAC PDUが、第1のリソース・フィードバック・フィールドを搬送して、第1のリソースブロックが正常に予約されたことを示す、ステップと、
第2の端末装置のセット内の第2の端末装置によって送信された第1のリソース・フィードバック・フィールドに従って第1の端末装置によって、第1のリソースブロックが新たなMAC PDUを送信するために使用されるリソースブロックであると判定するステップと、
第1の端末装置によって、第1のリソースブロックを使用することにより新たなMAC PDUを送信するステップと、を含む。
【００２９】
第3の態様を参照すると、可能な実装態様において、
第2のMAC PDUは、第2の端末装置に第2のリソースブロックを予約するよう指示するために、第2の予約インジケータフィールドをさらに搬送する。
【００３０】
第3の態様または前述の可能な実装態様を参照すると、別の可能な実装態様では、第1のリソース・フィードバック・フィールドが、第1のリソースブロックが正常に予約されていないことを示すために使用され、本方法は、
第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップと、
第1の端末装置によって、新たなリソースブロックを使用することで新たなMAC PDUを送信するステップと、
をさらに含む。
【００３１】
第3の態様または前述の可能な実装態様を参照すると、別の可能な実装態様において、第1の端末装置によって、第1のリソースブロックを使用することによって第1のメディアアクセス制御MACプロトコルデータユニットPDUを送信するステップの前に、本方法は、
第1の端末装置によって、構成情報を取得するステップであって、構成情報は予約指示情報を含む、ステップと、
第1の端末装置によって、予約指示情報に従ってタイマの時計時刻を判定するステップであって、時計時刻が、第1の端末装置が第1のリソースブロックを予約する期間である、ステップと、
第1の端末装置によって、第1の端末装置が第1のリソースブロックを使用することで第1のMAC PDUを送信する場合にタイマを起動するステップと、
をさらに含み、
第2の端末装置のセット内の第2の端末装置によって送信された第1のリソース・フィードバック・フィールドに従って第1の端末装置によって、第1のリソースブロックが新たなMAC PDUを送信するために使用されるリソースブロックであると判定するステップが、
タイマが時計を止めない場合に、第2の端末装置のセット内の第2の端末装置によって送信された第1のリソース・フィードバック・フィールドに従って第1の端末装置によって、第1のリソースブロックが新たなMAC PDUを送信するために使用されるリソースブロックであると判定するステップ
を含む。
【００３２】
第3の態様または前述の可能な実装態様を参照すると、別の可能な実装態様において、本方法は、
タイマが時計を停止する場合、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップ、
をさらに含む。
【００３３】
第3の態様または前述の可能な実装態様を参照すると、別の可能な実装態様において、第1の端末装置によって、第1のリソースブロックを使用することによって第1のメディアアクセス制御MACプロトコルデータユニットPDUを送信するステップの前に、本方法は、
第1の端末装置によって、構成情報を取得するステップであって、構成情報は予約指示情報を含む、ステップと、
第1の端末装置によって、予約指示情報に従ってタイマの時計時刻を判定するステップであって、時計時刻が、第1の端末装置が第1のリソースブロックを予約する期間である、ステップと、
第1の端末装置によって、第1の端末装置が第1のリソースブロックを使用することで第1のMAC PDUを送信する場合にタイマを起動するステップと、
をさらに含み、
第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップが、
タイマが時計を止めた場合、またはタイマが時計を止めない場合、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップ
を含む。
【００３４】
第3の態様または前述の可能な実装態様を参照すると、別の可能な実装態様において、予約指示情報は、予約可能期間または予約可能期間範囲を示すために、予約期間指示情報を含み、
第1の端末装置が、予約表示情報に従ってタイマの時計時刻を判定するステップが、
予約期間指示情報が予約期間を示すために使用される場合、予約期間指示情報に従って第1の端末装置によって、予約可能期間がタイマの時計時刻であると判定するステップ、または予約期間指示情報が予約可能期間範囲を示すために使用される場合、予約期間指示情報に従って第1の端末装置によって、予約可能期間範囲内の任意の期間がタイマの時計時刻であると判定するステップ、を含む。
【００３５】
第3の態様または前述の可能な実装態様を参照すると、別の可能な実装態様において、第1の端末装置によって、第1のリソースブロックを使用することによって第1のメディアアクセス制御MACプロトコルデータユニットPDUを送信するステップの前に、本方法は、
第1の端末装置によって、構成情報を取得するステップであって、構成情報は予約指示情報を含む、ステップと、
第1の端末装置によって、予約指示情報に従って予約期間を判定するステップであって、予約期間が、第1の端末装置が第1のリソースブロックを予約する期間である、ステップと、
をさらに含み、
第1の予約インジケータフィールドが、時間パラメータを示すためにさらに使用され、時間パラメータが、0以上であり、時間パラメータが、予約期間を示すために使用され、
第2の端末装置のセット内の第2の端末装置によって送信される第1のリソース・フィードバック・フィールドに従って第1の端末装置によって、第1のリソースブロックが、新たなMAC PDUを送信するために使用されるリソースブロックであると判定するステップが、
時間パラメータが0ではない場合に、第2の端末装置のセット内の第2の端末装置によって送信された第1のリソース・フィードバック・フィールドに従って第1の端末装置によって、第1のリソースブロックが、新たなMAC PDUを送信するために使用されるリソースブロックであると判定するステップ、
を含む。
【００３６】
第3の態様または前述の可能な実装態様を参照すると、別の可能な実装態様において、本方法は、
時間パラメータが0である場合、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップ、
をさらに含む。
【００３７】
第3の態様または前述の可能な実装態様を参照すると、別の可能な実装態様において、第1の端末装置によって、第1のリソースブロックを使用することによって第1のメディアアクセス制御MACプロトコルデータユニットPDUを送信するステップの前に、本方法は、
第1の端末装置によって、構成情報を取得するステップであって、構成情報は予約指示情報を含む、ステップと、
第1の端末装置によって、予約指示情報に従って予約期間を判定するステップであって、予約期間が、第1の端末装置が第1のリソースブロックを予約する期間である、ステップと、
をさらに含み、
第1の予約インジケータフィールドが、時間パラメータを示すためにさらに使用され、時間パラメータが、0以上であり、時間パラメータが、予約期間を示すために使用され、
第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップが、
時間パラメータが0の場合、または時間パラメータが0ではない場合、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップを含む。
【００３８】
第3の態様または前述の可能な実装態様を参照すると、別の可能な実装態様において、第1の端末装置によって、第1のリソースブロックを使用して第1のメディアアクセス制御MACプロトコルデータユニットPDUを送信するステップの前に、本方法は、
第1の端末装置によって、予約期間に従って第1の予約インジケータフィールドを構成するステップをさらに含む。
【００３９】
第3の態様または前述の可能な実装態様を参照すると、別の可能な実装態様において、予約指示情報は、予約可能期間もしくは予約可能期間範囲を示すために、予約期間指示情報を含み、または予約指示情報が、予約期間指示情報および予約インジケータフィールド長を搬送する情報を含み、
第1の端末装置によって、予約指示情報に従って予約期間を判定するステップが、
予約指示情報が予約期間指示情報を含み、予約期間指示情報が予約可能期間を指示するために使用される場合、予約期間指示情報に従って第1の端末装置によって、予約可能期間が予約期間であると判定するステップか、または予約指示情報が予約期間指示情報を含み、予約期間指示情報が予約可能期間範囲を示すために使用される場合、予約期間指示情報に従って第1の端末装置によって、予約可能期間範囲内の任意の期間が、予約期間であると判定するステップか、または予約指示情報が予約期間指示情報と予約インジケータフィールド長を搬送する情報とを含む場合、第1の端末装置によって、予約期間指示情報と予約インジケータフィールド長を搬送する情報とに従って予約期間を判定するステップ、を含む。
【００４０】
第3の態様または前述の可能な実装態様を参照すると、別の可能な実装態様において、第1の端末装置によって、第1のリソースブロックを使用して第1のメディアアクセス制御MACプロトコルデータユニットPDUを送信するステップの前に、本方法は、
第1の端末装置によって、コンテンション・リソース・プールを監視するステップと、第1の端末装置によって、コンテンション・リソース・プール内のリソースブロックの予約状況であり、監視することによって取得された予約状況に従って第2のリソース・フィードバック・フィールドを判定するステップであって、第2のリソース・フィードバック・フィールドが、第1のMAC PDUが送信される前に、コンテンション・リソース・プール内のリソースブロックの予約状況を示すために使用される、ステップと、
をさらに含み、
第1のリソースブロックを使用することで第1の端末装置によって送信された第1のMAC PDUが、第2のリソース・フィードバック・フィールドをさらに搬送する。
【００４１】
第3の態様または前述の可能な実装態様を参照すると、別の可能な実装態様において、構成情報はリソースフィードバック情報をさらに含み、
コンテンション・リソース・プール内のリソースブロックの予約状況であり、監視することによって取得された予約状況に従って、第2のリソース・フィードバック・フィールドを判定するステップは、
第1の端末装置によって、リソースフィードバック情報と、コンテンション・リソース・プール内のリソースブロックの予約状況であり、監視することによって取得された予約状況とに従って、第2のリソース・フィードバック・フィールドを生成するステップを含む。
【００４２】
第3の態様または前述の可能な実装態様を参照すると、別の可能な実施形態において、リソースフィードバック情報は、リソース・フィードバック・フィールドを搬送するための状況についての情報および／またはリソース・フィードバック・フィールド長を搬送する情報を含み、
第1の端末装置によって、リソースフィードバック情報と、コンテンション・リソース・プール内のリソースブロックの予約状況であり、監視することで取得される予約状況とに従って第2のリソース・フィードバック・フィールドを生成するステップが、
リソースフィードバック情報がリソース・フィードバック・フィールドを搬送するための状況についての情報を含む場合、リソース・フィードバック・フィールドを搬送するための状況についての情報であると判定された場合、第1の端末装置によって、リソース・フィードバック・フィールド長を搬送する所定の情報に従って、およびコンテンション・リソース・プール内のリソースブロックの予約状況であり、監視することで取得される予約状況に従って、第2のリソース・フィードバック・フィールドを生成するステップか、またはリソースフィードバック情報がリソース・フィードバック・フィールド長を搬送する情報を含む場合、第1の端末装置によって、リソース・フィードバック・フィールド長を搬送する、リソースフィードバック情報に含まれる情報に従って、およびコンテンション・リソース・プール内のリソースブロックの予約状況であり、監視することで取得される予約状況にしたがって、第2のリソース・フィードバック・フィールドを生成するステップか、またはリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であると判定された場合、第1の端末装置によって、リソース・フィードバック・フィールド長を搬送する、リソースフィードバック情報内に含まれる情報に従って、およびコンテンション・リソース・プール内のリソースブロックの予約状況であり、監視することで取得される予約状況に従って、第2のリソース・フィードバック・フィールドを生成するステップ、
を含む。
【００４３】
第3の態様または前述の可能な実装態様を参照すると、別の可能な実装態様において、第1の端末装置によって構成情報を取得するステップは、
第1の端末装置によって、所定の構成情報を取得するステップか、または、
第1の端末装置によって、ネットワーク装置により送信された構成情報を受信するステップを含む。
【００４４】
第3の態様または前述の可能な実装態様を参照すると、別の可能な実装態様において、
第1の予約インジケータフィールドが、第1のMAC PDUのMACヘッダに含まれ、
MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、第1のMAC PDUのMACヘッダに含まれる。
【００４５】
第3の態様または前述の可能な実装態様を参照すると、別の可能な実装態様において、
第1のMAC PDUが第1の予約インジケータフィールドを搬送する場合、第1の予約インジケータフィールドは、第1のMAC PDUのペイロードpayloadフィールドに含まれ、第1のMAC PDUのMACヘッダがMACサブヘッダを含み、MACサブヘッダに対応するデータが第1の予約インジケータフィールドであることを示し、または第1のMAC PDUが第1の予約インジケータフィールドと第2のリソース・フィードバック・フィールドとを搬送する場合、第1の予約インジケータフィールドおよび第2のリソース・フィードバック・フィールドは、第1のMAC PDUのpayloadフィールドに含まれ、第1のMAC PDUのMACヘッダがMACサブヘッダを含み、MACサブヘッダに対応するデータが第1の予約インジケータフィールドと第2のリソース・フィードバック・フィールドであることを示す。
【００４６】
本発明の第4の態様によれば、本発明で提供されるデータ伝送方法は、
ネットワーク装置によって、構成情報を第1の端末装置に送信するステップであって、構成情報は予約指示情報を含む、ステップを含む。
【００４７】
第4の態様を参照すると、可能な実装態様において、予約指示情報は、予約可能期間もしくは予約可能期間範囲を示すために、予約期間指示情報を含み、または
予約指示情報は、予約期間指示情報と予約インジケータフィールド長を搬送する情報とを含む。
【００４８】
第4の態様または前述の可能な実装態様を参照すると、別の可能な実装態様において、
構成情報は、リソースフィードバック情報をさらに含み、リソースフィードバック情報は、リソース・フィードバック・フィールドを搬送するための状況についての情報および／またはリソース・フィードバック・フィールド長を搬送する情報を含む。
【００４９】
第4の態様または前述の可能な実装態様を参照すると、別の可能な実装態様において、ネットワーク装置によって構成情報を第1の端末装置に送信するステップが、
ネットワーク装置によって、システム情報または無線リソース制御RRCシグナリングを使用することにより、構成情報を第1の端末装置に送信するステップを含む。
【００５０】
本発明の実施形態で提供される端末装置、ネットワーク装置、およびデータ伝送方法によれば、第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されるリソース・フィードバック・フィールドに従って、第1のリソースブロックが正常に予約されている、すなわち、リソースの衝突が発生しないと判定する場合、第1の端末装置は、第1のリソースブロックを使用して、新たなMAC PDUを送信し続ける。したがって、送信リソース衝突率が効果的に低減され、伝送効率が向上する。
【００５１】
本発明の実施形態における、または先行技術における技術的解決策をより明確に説明するために、以下に、本発明または先行技術を説明するために必要とされる添付図面を簡潔に説明する。明らかに、以下の説明における添付図面は、単に本発明のいくつかの実施形態を示し、当業者は、創造的な努力なくこれらの添付図面から他の図面をさらに導出することができる。
【図面の簡単な説明】
【００５２】
【図１】V2V技術を用いることで車両の間で行われる通信の模式図である。
【図２】D2D技術を用いることでユーザ機器の間で行われる通信の模式図である。
【図３】D2D技術を用いることで車両の間で行われる通信の模式図である。
【図４】従来技術によるメディアアクセス制御プロトコルデータユニットのフォーマットの概略図である。
【図５】本発明の一実施形態による第1の端末装置の概略構成図である。
【図６】本発明の一実施形態による別の第1の端末装置の概略構成図である。
【図７】本発明の別の実施形態によるネットワーク装置の概略構成図である。
【図８】本発明の別の実施形態によるデータ伝送方法の模式的なフローチャートである。
【図９】本発明の別の実施形態によるデータ伝送方法の模式的なフローチャートである。
【図１０Ａ】本発明の別の実施形態によるデータ伝送方法の模式的なフローチャートである。
【図１０Ｂ】本発明の別の実施形態によるデータ伝送方法の模式的なフローチャートである。
【図１１】本発明の別の実施形態による第1のMAC PDUのフォーマットの模式図である。
【図１２】本発明の別の実施形態による別の第1のMAC PDUのフォーマットの模式図である。
【図１３】本発明の別の実施形態によるさらに別の第1のMAC PDUのフォーマットの模式図である。
【図１４】本発明の別の実施形態によるさらなる別の第1のMAC PDUのフォーマットの模式図である。
【図１５Ａ】本発明の別の実施形態によるデータ伝送方法の模式的なフローチャートである。
【図１５Ｂ】本発明の別の実施形態によるデータ伝送方法の模式的なフローチャートである。
【図１６】本発明の別の実施形態によるコンテンション・リソース・プールの模式図である。
【図１７】本発明の別の実施形態による第1の端末装置の概略構成図である。
【図１８】本発明の別の実施形態によるネットワーク装置の概略構成図である。
【発明を実施するための形態】
【００５３】
以下で、本発明の実施形態における添付図面を参照して本発明の実施形態での技術的解決策を明確および完全に説明する。明らかに、説明する実施形態は、本発明の実施形態の単なる一部であり、全てではない。創造的努力無しに本発明の実施形態に基づいて当業者によって得られる他の全ての実施形態は、本発明の保護範囲内にある。
【００５４】
本明細書で説明する技術は、さまざまな通信システム、例えば、現在の2Gおよび3G通信システムおよび次世代通信システム、汎欧州ディジタル移動電話方式（英語：Global System for Mobile communications、略して、GSM（登録商標））システム、符号分割多元接続（英語：Code Division Multiple Access、略して、CDMA）システム、時分割多元接続（英語：Time Division Multiple Access、略して、TDMA）システム、広帯域符号分割多元接続（英語：Wideband Code Division Multiple Access Wireless、略して、WCDMA（登録商標））システム、周波数分割多元接続（英語：Frequency Division Multiple Addressing、略して、FDMA）システム、直交周波数分割多元接続（英語：Orthogonal Frequency−Division Multiple Access、略して、OFDMA）システム、単一キャリアFDMA（SC−FDMA）システム、汎用パケット無線サービス（英語：General Packet Radio Service、略して、GPRS）システム、ロング・ターム・エボリューション（英語：Long Term Evolution、略して、LTE）システム、および他の同様の通信システムに適用することができる。
【００５５】
さまざまな態様が、端末および／または基地局および／または基地局ノードを参照して、本明細書で説明される。
【００５６】
ユーザ機器は、無線端末または有線端末とすることができる。無線端末は、ユーザに音声および／またはデータ接続を提供する機器、無線通信機能を有するハンドヘルドデバイス、または無線モデムに接続される別の処理デバイスとすることができる。無線端末は、無線アクセスネットワーク（英語：Radio Access Network、略して、RAN）を使用することによって、1つまたは複数のコアネットワークと通信することができる。無線端末は、携帯電話（または「セルラー」電話と呼ばれる）または移動端末を備えたコンピュータなどの移動端末とすることができる。例えば、無線端末は、無線アクセスネットワークと音声および／またはデータを交換する、携帯型、ポケットサイズ、ハンドヘルド型、コンピュータ内蔵型、または車載移動体装置とすることができる。例えば、無線端末は、パーソナル通信サービス（英語：Personal Communication Service、略して、PCS）フォン、コードレス電話セット、セッション確立プロトコル（英語：Session Initiation Protocol、略して、SIP）フォン、無線ローカルループ（英語：Wireless Local Loop、略して、WLL）ステーション、または携帯情報端末（英語：Personal Digital Assistant、略して、PDA）などのデバイスである。無線端末はまた、システム、加入者ユニット（Subscriber Unit）、加入者ステーション（Subscriber Station）、モバイルステーション（Mobile Station）、モバイル（Mobile）、リモートステーション（Remote Station）、アクセスポイント（Access Point）、リモート端末（Remote Terminal）、アクセス端末（Access Terminal）、ユーザ端末（User Terminal）、ユーザエージェント（User Agent）、またはユーザ機器（User Equipment、略して、UE）と称することもある。
【００５７】
基地局（例えば、アクセスポイント）は、アクセスネットワーク内にあり、無線インターフェースを介して、1つまたは複数のセクタを使用することによって無線端末と通信する装置とすることができる。基地局は、受信した無線フレームとIPパケットとを相互に変換し、無線端末とアクセスネットワークの残りの部分との間のルータとして機能するよう構成することができる。アクセスネットワークの残りの部分は、インターネットプロトコル（英語：Internet Protocol、略して、IP）ネットワークを含むことができる。基地局は、無線インターフェースの属性管理をさらに調整することができる。例えば、基地局は、GSM（登録商標）またはCDMAにおける基地トランシーバ局（英語：Base Transceiver Station、略してBTS）であってもよく、またはWCDMA（登録商標）におけるノードB（NodeB）であってもよく、またはLTEにおける進化型ノードB（英語：evolutional Node B、略して、NodeB、eNB、または、e−NodeB）であってもよい。これはこの用途に限定されない。
【００５８】
さらに、本明細書中の「システム」および「ネットワーク」という用語は、本明細書中では交換可能に使用することができる。
【００５９】
現在、V2V通信により交通事故の発生確率を低減するために、車両は道路状況情報を取得したり、適時に情報サービスを受けたりすることができる。図1に示すように、車両が道路状況情報を取得する具体的な処理は、以下、すなわち、車両1が、V2V通信により、車速、走行方向、特定位置、および緊急ブレーキが適用されたかどうかについての情報などのV2V情報をブロードキャストすることである。この場合、車両1の周囲の車両、すなわち車両2および車両3は、車両1によってブロードキャストされたV2V情報を受信することができる。車両1がブロードキャストしているV2V情報を正常に受信すると、車両2および車両3は、車速、走行方向、特定位置、および緊急ブレーキが適用されたかどうかについての情報などの車両1のV2V情報に従って道路状況情報を学習することができる。この場合、運転者は、交通事故を回避するために、道路状況情報に応じて危険を予知し、適時に回避することができる。V2V通信により車両間で送信されるV2V情報は、米国における車両環境における無線アクセス（英語：wireless access in vehicular environments、略して、WAVE）プロトコルにおける基本的な安全情報（英語：Basic Safety Message、略して、BSM）と称し、および欧州における知的交通システム（英語：Intelligent Transportation System、略して、ITS）における協調認識メッセージ（英語：Cooperative Awareness Message、略して、CAM）もしくは分散環境通知メッセージ（英語：Decentralized Environmental Notification Message、略して、DEMN）と称する。
【００６０】
LTEは現在、主流の無線通信技術であり、LTEにおけるD2D技術は、端末装置間の直接通信（例えば、図2に示すUE1とUE2との間の直接通信）をサポートする。V2V通信は、装置の間の直接通信にも関係する。したがって、図3に示すように、D2D技術を用いてV2V情報を送信することができる。
【００６１】
D2D技術は、D2D発見（discovery）とD2D通信（communication）の2つの技術に分類することができることがよく知られており、これら2つの技術のそれぞれは分散送信モードを有する。D2D discoveryの分散送信モードをD2D discoveryタイプ（type）1と呼び、D2D communicationの分散送信モードをD2D communicationモード（mode）2と呼ぶ。一般に、分散送信モードでは、ネットワークリソースは1つまたは複数のリソースプールにグループ化される。端末装置がデータを送信する必要がある場合、端末装置は、ランダム送信を行うフリーコンテンション機構を用いてデータを送信する、すなわち、端末装置は、リソースプールからデータを送信するためのリソースブロックをランダムに選択する必要がある。
【００６２】
例えば、D2D communication技術のD2D communication mode 2では、車両1はV2V情報を送信する必要がある。このモードでは、ネットワークリソースはスケジューリング割り当て（英語：Scheduling Assignment、略して、SA）リソースプールとデータ・リソース・プールとにグループ化される。例えば、図3に示す適用シナリオでは、車両1がV2V情報を送信する具体的な処理は、以下、すなわち、V2V情報を生成する場合に、車両1はまずSA資源プールからSA情報をブロードキャストするためのSAリソースブロックをランダムに選択することである。SA情報は、データ・リソース・プール内の時間周波数リソースの位置ならびに変調および符号化方式を示すために使用される。SA情報が示す時間周波数リソースの位置もまた、データ・リソース・プールから車両1によってランダムに選択される。次いで、車両1は、生成したV2V情報を、SA情報が示す変調符号化方式に従って、データ・リソース・プール内の対応する時間周波数リソース位置にブロードキャストする。この場合、車両1の周囲の車両、例えば、車両2は、SAリソースプールを探索することにより、車両1によってブロードキャストされて正常に復号化されたSA情報を発見し、車両2は、データ・リソース・プール内の、SA情報によって示される時間周波数リソース位置に従って、車両1によってブロードキャストされたV2V情報を受信し、SA情報によって示された変調符号化方式に従って復調を行い、車両1によってブロードキャストされたV2V情報を正常に受信することができる。車両1によって送信されたV2V情報は、具体的には、メディアアクセス制御（英語：Media Access Control、略して、MAC）プロトコルデータユニット（英語：Protocol Data Unit、略して、PDU）に含まれる。MAC PDUのフォーマットを図4に示す。ソース識別子（英語：identify、略して、ID）フィールドは、送信側（車両1など）のIDを示すために使用される。宛先IDフィールドは、受信側のIDを示すために使用され、例えば、グループのIDを示すために使用することができ、またはあるタイプのサービスのIDを示すために使用することができる。確かに、宛先IDフィールドは、ブロードキャストで送信するために無視してもよい。Typical MACサブヘッダ（専用MAC sub−headersサブヘッダラー）フィールドは、ペイロード（payload）フィールドに含まれるデータを示すために使用される。ペイロード（payload）フィールドはデータを含み、V2V情報はpayloadフィールドに含まれる。
【００６３】
D2D技術を用いてV2V情報を送信する場合、車両はランダム送信を行うフリーコンテンション機構を使用することが上記から分かる。この機構では、複数の隣接車両は、複数の隣接車両のV2V情報を送信するために同じ時間周波数リソースを選択する可能性がある。例えば、図1に示す用途シナリオでは、車両2と車両3の両方が、車両2および車両3のV2V情報を送信するために時間周波数リソース1を選択する。その結果、送信リソースの衝突が発生し、別の車両（例えば、車両1）は、復調することにより、車両2および車両3から送信されたV2V情報を正常に取得することができない。これは、伝送効率が比較的低下するという問題を引き起こす。本発明が提供するデータ伝送方法は、上記の問題を良好に解決するために使用することができる。
【００６４】
当業者の理解を容易にするために、本発明は、以下の実施形態を使用することによって、本発明で提供される技術的解決策の特定の実施処理を説明する。
【００６５】
本発明で説明する端末装置は、UEまたは車両などの装置とすることができることに留意されたい。本発明の実施形態は、端末装置を特に限定するものではない。
【００６６】
本発明の一実施形態は、第1の端末装置を提供する。図5に示すように、第1の端末装置は、送信ユニット11、受信ユニット12、および判定ユニット13を含むことができる。
【００６７】
送信ユニット11は、第1のリソースブロックを使用して第1のメディアアクセス制御MACプロトコルデータユニットPDUを送信するよう構成され、第1のMAC PDUは、第1のリソースブロックを予約するよう第1の端末装置に指示するために、第1の予約インジケータフィールドを搬送する。
【００６８】
受信ユニット12は、第2の端末装置のセットによって第2のリソースブロックを使用して送信された第2のMAC PDUを受信するよう構成され、第2の端末装置のセットは少なくとも1つの第2の端末装置を含み、第2のMAC PDUは、第1のリソース・フィードバック・フィールドを搬送して、第1のリソースブロックが正常に予約されたことを示す。
【００６９】
判定ユニット13は、受信ユニット12によって受信され、第2の端末装置のセット内の第2の端末装置によって送信される第1のリソース・フィードバック・フィールドに従って、第1のMAC PDUを送信するために送信ユニット11によって使用される第1のリソースブロックが新たなMAC PDUを送信するために使用されるリソースブロックであると判定するよう構成される。
【００７０】
送信ユニット11は、判定ユニット13によって判定された第1のリソースブロックを用いて、新たなMAC PDUを送信するようさらに構成される。
【００７１】
本発明のこの実施形態において、さらに、受信ユニット12によって受信された第2のMAC PDUは、第2の端末装置に第2のリソースブロックを予約するよう指示するために、第2の予約インジケータフィールドをさらに搬送する。
【００７２】
本発明のこの実施形態では、さらに、受信ユニット12によって受信された第2のMAC PDUで搬送された第1のリソース・フィードバック・フィールドは、第1のリソースブロックが正常に予約されていないことを示すために使用される。
【００７３】
判定ユニット13は、受信ユニット12が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定するようさらに構成され、第1のリソース・フィードバック・フィールドが第2の端末装置のセット内の第2の端末装置によって送信され、第2の予約インジケータフィールドが第2の端末装置のセット内の全ての第2の端末装置によって送信される。
【００７４】
送信ユニット11は、判定ユニット13によって判定された新たなリソースブロックを用いて、新たなMAC PDUを送信するようさらに構成される。
【００７５】
本発明のこの実施形態では、さらに、図6に示すように、第1の端末装置は、取得ユニット14と起動ユニット15とをさらに含むことができる。
【００７６】
取得ユニット14は、送信ユニット11が第1のリソースブロックを用いて第1のメディアアクセス制御MACプロトコルデータユニットPDUを送信する前に、予約指示情報を含む構成情報を取得するよう構成される。
【００７７】
判定ユニット13は、取得ユニット14が取得した予約指示情報に従って、第1の端末装置が第1のリソースブロックを予約する期間であるタイマの時計時刻を判定するようさらに構成される。
【００７８】
起動ユニット15は、送信ユニット11が第1のリソースブロックを用いて第1のMAC PDUを送信した場合にタイマを起動するよう構成される。
【００７９】
判定ユニット13は、起動ユニット15によって起動されたタイマが時計を止めない場合、受信ユニット12によって受信され、第2の端末装置のセット内の第2の端末装置によって送信される第1のリソース・フィードバック・フィールドに従って、第1のMAC PDUを送信するために送信ユニット11によって使用される第1のリソースブロックが新たなMAC PDUを送信するために使用されるリソースブロックであると判定するよう特に構成される。
【００８０】
本発明のこの実施形態では、さらに、判定ユニット13は、起動ユニット15により起動されたタイマが計時を停止した場合に、受信ユニット12が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【００８１】
本発明のこの実施形態では、さらに、図6に示すように、第1の端末装置は、取得ユニット14と起動ユニット15とをさらに含むことができる。
【００８２】
取得ユニット14は、送信ユニット11が第1のリソースブロックを用いて第1のメディアアクセス制御MACプロトコルデータユニットPDUを送信する前に、予約指示情報を含む構成情報を取得するよう構成される。
【００８３】
判定ユニット13は、取得ユニット14が取得した予約指示情報に従って、第1の端末装置が第1のリソースブロックを予約する期間であるタイマの時計時刻を判定するようさらに構成される。
【００８４】
起動ユニット15は、送信ユニット11が第1のリソースブロックを用いて第1のMAC PDUを送信した場合にタイマを起動するよう構成される。
【００８５】
判定ユニット13は、起動ユニット15により起動されたタイマが計時を停止した場合に、または起動ユニット15により起動されたタイマが計時を停止しなかった場合に、受信ユニット12が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【００８６】
本発明のこの実施形態では、特に、取得ユニット14により取得された予約指示情報は、予約可能期間または予約可能期間範囲を示すために、予約期間指示情報を含む。
【００８７】
判定ユニット13は、取得ユニット14によって取得された予約期間指示情報が、予約可能期間を示すために使用される場合、取得ユニット14によって取得された予約期間指示情報に従って、予約可能期間が、タイマの時計時刻であると判定するか、または取得ユニット14によって取得された予約期間指示情報が予約可能期間範囲を示すために使用される場合、取得ユニット14によって取得された予約期間指示情報に従って、予約可能期間範囲内の任意の期間がタイマの時計時刻であると判定する、よう特に構成される。
【００８８】
本発明のこの実施形態では、さらに、図6に示すように、第1の端末装置は、取得ユニット14をさらに含むことができる。
【００８９】
取得ユニット14は、送信ユニット11が第1のリソースブロックを用いて第1のメディアアクセス制御MACプロトコルデータユニットPDUを送信する前に、予約指示情報を含む構成情報を取得するよう構成される。
【００９０】
判定ユニット13は、取得ユニット14が取得した予約指示情報に従って、第1の端末装置が第1のリソースブロックを予約する期間である予約期間を判定するようさらに構成される。
【００９１】
送信ユニット11によって送信された第1のMAC PDUで搬送される第1の予約インジケータフィールドは、時間パラメータを示すためにさらに使用され、時間パラメータは0以上であり、時間パラメータは予約期間を示すために使用される。
【００９２】
判定ユニット13は、時間パラメータが0ではない場合、受信ユニット12によって受信され、第2の端末装置のセット内の第2の端末装置によって送信される第1のリソース・フィードバック・フィールドに従って、第1のMAC PDUを送信するために送信ユニット11によって使用される第1のリソースブロックが新たなMAC PDUを送信するために使用されるリソースブロックであると判定するよう特に構成される。
【００９３】
本発明のこの実施形態では、さらに、判定ユニット13は、時間パラメータが0の場合に、受信ユニット12が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【００９４】
本発明のこの実施形態では、さらに、図6に示すように、第1の端末装置は、取得ユニット14をさらに含むことができる。
【００９５】
取得ユニット14は、送信ユニット11が第1のリソースブロックを用いて第1のメディアアクセス制御MACプロトコルデータユニットPDUを送信する前に、予約指示情報を含む構成情報を取得するよう構成される。
【００９６】
判定ユニット13は、取得ユニット14が取得した予約指示情報に従って、第1の端末装置が第1のリソースブロックを予約する期間である予約期間を判定するようさらに構成される。
【００９７】
送信ユニット11によって送信された第1のMAC PDUで搬送される第1の予約インジケータフィールドは、時間パラメータを示すためにさらに使用され、時間パラメータは0以上であり、時間パラメータは予約期間を示すために使用される。
【００９８】
判定ユニット13は、時間パラメータが0の場合、または時間パラメータが0ではない場合に、受信ユニット12が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【００９９】
本発明のこの実施形態では、さらに、第1の端末装置は、構成ユニット16をさらに含むことができる。
【０１００】
構成ユニット16は、送信ユニット11が第1のリソースブロックを用いて第1のメディアアクセス制御MACプロトコルデータユニットPDUを送信する前に、判定ユニット13により判定された予約期間に従って、第1の予約インジケータフィールドを構成するよう構成される。
【０１０１】
本発明のこの実施形態において、さらに、取得ユニット14によって取得される予約指示情報は、予約可能期間もしくは予約可能期間範囲を示すために、予約期間指示情報を含み、または取得ユニット14によって取得された予約指示情報は、予約期間指示情報と予約インジケータフィールド長を搬送する情報とを含む。
【０１０２】
判定ユニット13は、取得ユニット14によって取得された予約指示情報が予約期間指示情報を含み、予約期間指示情報が予約期間を指示するために使用される場合、取得ユニット14によって取得された予約期間指示情報に従って、予約可能期間が予約期間であると判定し、または取得ユニット14によって取得された予約指示情報が予約期間指示情報を含み、予約期間指示情報が予約可能期間範囲を示すために使用される場合、取得ユニット14によって取得された予約期間指示情報に従って、予約可能期間範囲内の任意の期間が予約期間であると判定し、または取得ユニット14によって取得された予約指示情報が予約期間指示情報と、予約インジケータフィールド長を搬送する情報とを含む場合、予約範囲指示情報と、取得ユニット14によって取得された予約インジケータフィールド長を搬送する情報とに従って予約期間を判定する、よう特に構成される。
【０１０３】
本発明のこの実施形態では、さらに、第1の端末装置は、監視ユニット17をさらに含むことができる。
【０１０４】
監視ユニット17は、送信ユニット11が第1のリソースブロックを使用して第1のメディアアクセス制御MACプロトコルデータユニットPDUを送信する前に、コンテンション・リソース・プールを監視するよう構成される。
【０１０５】
さらに、判定ユニット13は、コンテンション・リソース・プール内のリソースブロックの予約状況であり、監視することで監視ユニット17によって取得された予約状況に従って第2のリソース・フィードバック・フィールドを判定するようさらに構成され、ここで、第2のリソース・フィードバック・フィールドは、第1のMAC PDUが送信される前にコンテンション・リソース・プール内のリソースブロックの予約状況を示すために使用される。
【０１０６】
第1のリソースブロックを使用して送信ユニット11によって送信された第1のMAC PDUは、第2のリソース・フィードバック・フィールドをさらに搬送する。
【０１０７】
本発明のこの実施形態において、さらに、取得ユニット14によって取得された構成情報は、リソースフィードバック情報をさらに含む。
【０１０８】
判定ユニット13は、取得ユニット14が取得したリソースフィードバック情報と、コンテンション・リソース・プール内のリソースブロックの予約状況であり、監視することで監視ユニット17によって取得された予約状況とに従って、第2のリソース・フィードバック・フィールドを生成するよう特に構成される。
【０１０９】
本発明のこの実施形態では、さらに、取得ユニット14によって取得されるリソースフィードバック情報は、リソース・フィードバック・フィールドを搬送するための条件についての情報および／またはリソース・フィードバック・フィールド長を搬送する情報を含む。
【０１１０】
判定ユニット13は、取得ユニット14によって取得されたリソースフィードバック情報がリソース・フィードバック・フィールドを搬送するための状況についての情報を含む場合、リソース・フィードバック・フィールドを搬送するための状況についての情報であり、取得ユニット14によって取得された情報であると判定された場合、リソース・フィードバック・フィールド長を搬送する所定の情報に従って、およびコンテンション・リソース・プール内のリソースブロックの予約状況であって、監視することで監視ユニット17により取得される予約状況に従って、第2のリソース・フィードバック・フィールドを生成するか、または取得ユニット14によって取得されたリソースフィードバック情報が、リソース・フィードバック・フィールド長を搬送する情報を含む場合、リソース・フィードバック・フィールド長を搬送し、取得ユニット14によって取得されたリソースフィードバック情報に含まれる情報に従って、およびコンテンション・リソース・プール内のリソースブロックの予約状況であり、監視することで監視ユニット17によって取得される予約状況に従って、第2のリソース・フィードバック・フィールドを生成するか、または取得ユニット14によって取得されたリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であり、取得ユニット14によって取得されたものであると判定された場合、リソース・フィードバック・フィールド長を搬送し、取得ユニット14によって取得されたリソースフィードバック情報に含まれる情報に従って、およびコンテンション・リソース・プール内のリソースブロックの予約状況であり、監視することで監視ユニット17によって取得される予約状況に従って、第2のリソース・フィードバック・フィールドを生成する、よう特に構成される。
【０１１１】
本発明のこの実施形態では、さらに、取得ユニット14は、所定の構成情報を取得するか、またはネットワーク装置によって送信された構成情報を受信するよう特に構成される。
【０１１２】
本発明のこの実施形態では、さらに、第1の予約インジケータフィールドは、送信ユニット11によって送信された第1のMAC PDUのMACヘッダに含まれる。MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、送信ユニット11によって送信された第1のMAC PDUのMACヘッダに含まれる。
【０１１３】
本発明のこの実施形態では、さらに、送信ユニット11によって送信された第1のMAC PDUが第1の予約インジケータフィールドを搬送する場合、第1の予約インジケータフィールドは、送信ユニット11によって送信された第1のMAC PDUのペイロードpayloadフィールドに含まれ、送信ユニット11によって送信された第1のMAC PDUのMACヘッダがMACサブヘッダを含み、MACサブヘッダに対応するデータが第1の予約インジケータフィールドであることを示し、または送信ユニット11によって送信された第1のMAC PDUが第1の予約インジケータフィールドと第2のリソース・フィードバック・フィールドとを搬送する場合、第1の予約インジケータフィールドおよび第2のリソース・フィードバック・フィールドは、送信ユニット11によって送信された第1のMAC PDUのpayloadフィールドに含まれ、送信ユニット11によって送信された第1のMAC PDUのMACヘッダがMACサブヘッダを含み、MACサブヘッダに対応するデータが第1の予約インジケータフィールドと第2のリソース・フィードバック・フィールドであることを示す。
【０１１４】
本発明のこの実施形態において、さらに、取得ユニット14によって取得された構成情報は、コンテンション・リソース・プールについての情報をさらに含む。
【０１１５】
第1の端末装置は、選択ユニット18をさらに含むことができ、選択ユニット18は、取得ユニット14が構成情報を取得した後、コンテンション・リソース・プールから、コンテンション・リソース・プールについての、取得ユニット14によって取得された情報に従って、第1のリソースブロックとしてリソースブロックを選択するよう構成される。
【０１１６】
本発明のこの実施形態で提供される第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されたリソース・フィードバック・フィールドに従って、第1のリソースブロックが正常に予約された、すなわち、リソース衝突が発生しなかったと判定すると、第1の端末装置は、第1のリソースブロックを使用して新たなMAC PDUを送信し続け、または別の端末装置によって送信された受信MAC PDUで搬送されたリソース・フィードバック・フィールドに従って、第1のリソースブロックが正常に予約されなかった、すなわち、リソース衝突が発生したと判定すると、第1の端末装置は、新たなリソースブロックを選択して、新たなMAC PDUを送信する。したがって、送信リソース衝突率が効果的に低減され、伝送効率が向上する。
【０１１７】
また、第1のリソースブロックは、構成情報内の予約指示情報に従って決定され、第1の端末装置が第1のリソースブロックを予約することができる期間を使用して予約され、その結果、端末装置は特定のリソースブロックを使用し続けることができなくなり、ネットワークリソースが公平に割り当てられる。
【０１１８】
本発明の別の実施形態は、ネットワーク装置を提供する。図7に示すように、ネットワーク装置は、送信ユニット21を含む。
【０１１９】
送信ユニット21は、予約指示情報を含む構成情報を第1の端末装置に送信するよう構成される。
【０１２０】
本発明のこの実施形態において、さらに、送信ユニット21によって送信される予約指示情報は、予約可能期間もしくは予約可能期間範囲を示すために、予約期間指示情報を含み、または送信ユニット21によって送信された予約指示情報は、予約期間指示情報と予約インジケータフィールド長を搬送する情報とを含む。
【０１２１】
本発明のこの実施形態では、さらに、送信ユニット21によって送信された構成情報は、リソースフィードバック情報をさらに含み、リソースフィードバック情報は、リソース・フィードバック・フィールドを搬送するための状況についての情報および／またはリソース・フィードバック・フィールド長を搬送する情報を含む。
【０１２２】
本発明のこの実施形態では、さらに、送信ユニット21は、システム情報または無線リソース制御RRCシグナリングを用いて第1の端末装置に構成情報を送信するよう特に構成される。
【０１２３】
本発明のこの実施形態において、さらに、送信ユニット21によって送信された構成情報は、コンテンション・リソース・プールについての情報をさらに含む。
【０１２４】
本発明のこの実施形態で提供されるネットワーク装置は、予約指示情報を含む構成情報を第1の端末装置に送信する。したがって、第1の端末装置は、予約指示情報に従って判定され、第1のリソースブロックが予約される可能性がある期間に従って第1のリソースブロックを予約することができ、その結果、端末装置が特定のリソースブロックを使用し続けることができなくなり、ネットワークリソースが公平に割り当てられる。
【０１２５】
本発明の別の実施形態は、データ伝送方法を提供する。図8に示すように、本方法は、以下のステップを含むことができる。
【０１２６】
301．第1の端末装置は、第1のリソースブロックを使用して第1のMAC PDUを送信する。
【０１２７】
第1のMAC PDUは、第1のリソースブロックを予約するよう第1の端末装置に指示するために、第1の予約インジケータフィールドを搬送する。
【０１２８】
具体的には、第1の端末装置が第1のMAC PDUを送信する必要がある場合、第1の端末装置は、コンテンション・リソース・プールに含まれる全てのリソースブロックから、第1のリソースブロックとしてリソースブロックをランダムに選択することができ、第1のMAC PDUに第1のリソースブロックを予約することを指示するために使用される第1の予約インジケータフィールドを追加し、第1のMAC PDUを、第1のリソースブロックを使用することにより周囲の端末装置にブロードキャストする。
【０１２９】
302．第1の端末装置は、第2の端末装置のセットによって第2のリソースブロックを使用して送信された第2のMAC PDUを受信する。
【０１３０】
第2の端末装置のセットは、少なくとも1つの第2の端末装置を含む。第2のMAC PDUは、第1のリソースブロックが正常に予約されたことを示すために、第1のリソース・フィードバック・フィールドを搬送する。
【０１３１】
実際、第1のリソース・フィードバック・フィールドは、第1のリソースブロック以外のコンテンション・リソース・プール内のリソースブロックが正常に予約されているかどうかを示すためにさらに使用することができる。
【０１３２】
303．第1の端末装置は、第2の端末装置のセット内の第2の端末装置によって送信された第1のリソース・フィードバック・フィールドに従って、第1のリソースブロックが新たなMAC PDUを送信するために使用されるリソースブロックであると判定する。
【０１３３】
304．第1の端末装置は、第1のリソースブロックを使用して新たなMAC PDUを送信する。
【０１３４】
具体的には、第1の端末装置が、第1のリソースブロックを使用することで、第1の予約インジケータフィールドを搬送する第1のMAC PDUを送信すると、第1の端末装置が、第2のリソースブロックを使用することで第2の端末装置のセットによって送信され、第1のリソースブロックが正常に予約されたことを示すために使用される第1のリソース・フィードバック・フィールドを搬送する第2のMAC PDUを受信した場合、第1の端末装置は、第2の端末装置のセット内の第2の端末装置によって送信された受信した第2のMAC PDUで搬送された第1のリソース・フィードバック・フィールドに従って、第1のリソースブロックが、新たなMAC PDUを送信するために使用されるリソースブロックであると判定することができ、すなわち、第1の端末装置は、受信した第2のMAC PDUで搬送された第1のリソース・フィードバック・フィールドに従って、第1のリソースブロックが正常に予約されたかどうかを判定することができ、第1のリソースブロックが正常に予約された場合、第1のリソースブロックを使用して、後続のデータ伝送を実行し続けることができる。
【０１３５】
本発明のこの実施形態で提供されるデータ伝送方法によれば、第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されるリソース・フィードバック・フィールドに従って、第1のリソースブロックが正常に予約されている、すなわち、リソースの衝突が発生しないと判定する場合、第1の端末装置は、第1のリソースブロックを使用して、新たなMAC PDUを送信し続ける。したがって、送信リソース衝突率が効果的に低減され、伝送効率が向上する。
【０１３６】
さらに、ステップ302で受信され、第2の端末装置によって送信される、第2のMAC PDUは、第2の端末装置に第2のリソースブロックを予約するように指示するために、第2の予約インジケータフィールドをさらに搬送する。
【０１３７】
さらに、ステップ302で受信され、第2の端末装置によって送信された、第2のMAC PDUで搬送された第1のリソース・フィードバック・フィールドは、第1のリソースブロックが正常に予約されていないことを示すために使用される。この場合、本発明のこの実施形態で提供されるデータ伝送方法は、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップと、新たなリソースブロックを使用することで新たなMAC PDUを送信するステップと、をさらに含むことができる。
【０１３８】
さらに、ネットワークリソースを公平に割り当て、端末装置が特定のリソースブロックを使用し続けることを防ぐために、本発明のこの実施形態では、第1の端末装置が第1のリソースブロックを予約する期間を制限することができる。第1の可能な実装態様では、ステップ301の前に、データ伝送方法は、第1の端末装置によって、予約指示情報を含む構成情報を取得するステップと、
第1の端末装置によって、予約指示情報に従ってタイマの時計時刻を判定するステップであって、時計時刻は、第1の端末装置が第1のリソースブロックを予約する期間である、ステップと、第1の端末装置によって、第1の端末装置が第1のリソースブロックを使用することで第1のMAC PDUを送信するタイマを起動するステップと、
をさらに含むことができる。
【０１３９】
この場合、ステップ303は、タイマが時計を止めない場合、第2の端末装置のセット内の第2の端末装置によって送信された第1のリソース・フィードバック・フィールドに従って第1の端末装置によって、第1のリソースブロックが新たなMAC PDUを送信するために使用されるリソースブロックであることを判定するステップを特に含むことができる。
【０１４０】
さらに、本発明のこの実施形態では、データ伝送方法は、タイマが時計を止めた場合、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから第1の端末装置によって、新たなMAC PDUを送信するために使用されるリソースブロックとして新たなリソースブロックを判定するステップをさらに含むことができる。
【０１４１】
さらに、第2の端末装置のセット内の第2の端末装置によって送信された第1のリソース・フィードバック・フィールドと、第2の端末装置のセット内の全ての第2の端末装置によって送信された第2の予約インジケータフィールドとに従って、コンテンション・リソース・プールから、第1の端末装置によって、新たなMAC PDUを送信するために使用されるリソースブロックとして新たなリソースブロックを判定するステップは、タイマが時計を止めた場合、またはタイマが時計を止めない場合、第2の端末装置のセット内の第2の端末装置によって送信された第1のリソース・フィードバック・フィールドと、第2の端末装置のセット内の全ての第2の端末装置によって送信された第2の予約インジケータフィールドとに従って、コンテンション・リソース・プールから、第1の端末装置によって、新たなMAC PDUを送信するために使用されるリソースブロックとして新たなリソースブロックを判定するステップを特に含むことができる。
【０１４２】
さらに、ステップ301の前に、データ伝送方法は、第1の端末装置によって、第1の予約インジケータフィールドをプリセット値として構成するステップをさらに含むことができる。
【０１４３】
さらに、第1の端末装置によって取得された構成情報内の予約指示情報は、予約可能期間または予約可能期間範囲を示すために、予約期間指示情報を含む。
【０１４４】
第1の端末装置によって、予約指示情報に従ってタイマの時計時刻を判定するステップは、予約期間指示情報が予約期間を示すために使用される場合、予約期間指示情報に従って第1の端末装置によって、予約可能期間がタイマの時計時刻であると判定するステップか、または予約期間指示情報が予約可能期間範囲を示すために使用される場合、予約期間指示情報に従って第1の端末装置によって、予約可能期間範囲内の任意の期間がタイマの時計時刻であると判定するステップを特に含むことができる。
【０１４５】
さらに、ネットワークリソースを公平に割り当て、端末装置が特定のリソースブロックを使用し続けることを防ぐために、本発明のこの実施形態では、第1の端末装置が第1のリソースブロックを予約する期間を制限することができる。第2の可能な実装態様では、ステップ301の前に、データ伝送方法は、第1の端末装置によって、予約指示情報を含む構成情報を取得するステップと、
第1の端末装置によって、予約指示情報に従って予約期間を判定するステップであって、予約期間が、第1の端末装置が第1のリソースブロックを予約する期間である、ステップと、
をさらに含むことができる。
【０１４６】
第1の予約インジケータフィールドは、時間パラメータを示すためにさらに使用され、時間パラメータは0以上であり、時間パラメータは予約期間を示すために使用される。時間パラメータは時間とともに徐々に減少する。
【０１４７】
この場合、ステップ303は、時間パラメータが0ではない場合、第2の端末装置のセット内の第2の端末装置によって送信された第1のリソース・フィードバック・フィールドに従って第1の端末装置によって、第1のリソースブロックが新たなMAC PDUを送信するために使用されるリソースブロックであることを判定するステップを特に含むことができる。
【０１４８】
さらに、本方法は、時間パラメータが0の場合、第1の端末装置は、第2の端末装置のセット内の第2の端末装置によって送信された第1のリソース・フィードバック・フィールドと第2の端末装置のセット内の全ての第2の端末装置によって送信された第2の予約インジケータフィールドとに従ってコンテンション・リソース・プールから、新たなMAC PDUを送信するために使用されるリソースブロックとして新たなリソースブロックを判定する。
【０１４９】
さらに、第2の端末装置のセット内の第2の端末装置によって送信された第1のリソース・フィードバック・フィールドと、第2の端末装置のセット内の全ての第2の端末装置によって送信された第2の予約インジケータフィールドとにしたがって、コンテンション・リソース・プールから、第1の端末装置によって、新たなMAC PDUを送信するために使用されるリソースブロックとして新たなリソースブロックを判定するステップは、時間パラメータが0の場合、または時間パラメータが0ではない場合、第2の端末装置のセット内の第2の端末装置によって送信された第1のリソース・フィードバック・フィールドと、第2の端末装置のセット内の全ての第2の端末装置によって送信された第2の予約インジケータフィールドとに従って、コンテンション・リソース・プールから、第1の端末装置によって、新たなMAC PDUを送信するために使用されるリソースブロックとして新たなリソースブロックを判定するステップを特に含むことができる。
【０１５０】
時間パラメータが時間とともに減少するので、第1の端末装置によって送信された第1のMAC PDUで搬送された第1の予約インジケータフィールドが、時間とともに減少することが理解されよう。
【０１５１】
さらに、ステップ301の前に、データ伝送方法は、第1の端末装置によって、第1の予約インジケータフィールドを予約期間に従って構成するステップをさらに含むことができる。
【０１５２】
さらに、予約指示情報は、予約可能期間もしくは予約可能期間範囲を示すために、予約期間指示情報を含み、または予約指示情報は、予約期間指示情報と予約インジケータフィールド長を搬送する情報とを含む。
【０１５３】
第1の端末装置によって、予約指示情報に従って予約期間を判定するステップは、
予約指示情報が予約期間指示情報を含み、予約期間指示情報が予約可能期間を示すために使用される場合、予約期間指示情報に従って第1の端末装置によって、予約可能期間が予約期間であると判定するステップか、または予約指示情報が予約期間指示情報を含み、予約期間指示情報が予約可能期間範囲を示すために使用される場合、予約期間指示情報に従って第1の端末装置によって、予約可能期間範囲内の任意の範囲が予約期間であると判定するステップか、または予約指示情報が予約期間指示情報と、予約インジケータフィールド長を搬送する情報とを含む場合、第1の端末装置によって、予約期間指示情報と、予約インジケータフィールド長を搬送する情報とに従って予約期間を判定するステップを特に含むことができる。
【０１５４】
さらに、端末装置がリソースブロックを正常に予約したかどうかを判定するために第1の端末装置の周辺にある端末装置を補助するため、ステップ301の前に、本発明のこの実施形態におけるデータ伝送方法は、第1の端末装置によって、コンテンション・リソース・プールを監視するステップと、コンテンション・リソース・プール内のリソースブロックの予約状況であり、監視することで取得される、予約状況に従って第2のリソース・フィードバック・フィールドを判定するステップであって、第2のリソース・フィードバック・フィールドが、第1のMAC PDUが送信される前にコンテンション・リソース・プール内のリソースブロックの予約状況を示すために使用される、ステップと、をさらに含むことができる。
【０１５５】
第1のリソースブロックを使用して第1の端末装置によって送信された第1のMAC PDUは、第2のリソース・フィードバック・フィールドをさらに搬送する。
【０１５６】
さらに、第1の端末装置によって取得された構成情報は、リソースフィードバック情報をさらに含むことができる。この場合、コンテンション・リソース・プール内のリソースブロックの予約状況であり、監視することによって取得された予約状況に従って、第2のリソース・フィードバック・フィールドを判定するステップは、第1の端末装置によって、リソースフィードバック情報と、コンテンション・リソース・プール内のリソースブロックの予約状況であり、監視することによって取得された予約状況とに従って、第2のリソース・フィードバック・フィールドを生成するステップを特に含むことができる。
【０１５７】
さらに、リソースフィードバック情報は、リソース・フィードバック・フィールドを搬送するための条件についての情報および／またはリソース・フィードバック・フィールド長を搬送する情報を含む。
【０１５８】
この場合、第1の端末装置によって、リソースフィードバック情報と、コンテンション・リソース・プール内のリソースブロックの予約状況であり、監視することで取得される予約状況とに従って第2のリソース・フィードバック・フィールドを生成するステップが、
リソースフィードバック情報がリソース・フィードバック・フィールドを搬送するための状況についての情報を含む場合、リソース・フィードバック・フィールドを搬送するための状況についての情報であると判定された場合、第1の端末装置によって、リソース・フィードバック・フィールド長を搬送する所定の情報に従って、およびコンテンション・リソース・プール内のリソースブロックの予約状況であり、監視することで取得される予約状況に従って、第2のリソース・フィードバック・フィールドを生成するステップか、またはリソースフィードバック情報がリソース・フィードバック・フィールド長を搬送する情報を含む場合、第1の端末装置によって、リソース・フィードバック・フィールド長を搬送する、リソースフィードバック情報に含まれる情報に従って、およびコンテンション・リソース・プール内のリソースブロックの予約状況であり、監視することで取得される予約状況に従って、第2のリソース・フィードバック・フィールドを生成するステップか、またはリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であると判定された場合、第1の端末装置によって、リソース・フィードバック・フィールド長を搬送する、リソースフィードバック情報内に含まれる情報に従って、およびコンテンション・リソース・プール内のリソースブロックの予約状況であり、監視することで取得される予約状況に従って、第2のリソース・フィードバック・フィールドを生成するステップ、
を特に含むことができる。
【０１５９】
さらに、可能な実装態様では、第1の端末装置によって、構成情報を取得する具体的な方式は、第1の端末装置によって所定の構成情報を取得することを特に含むことができる。別の可能な実装態様では、第1の端末装置によって、構成情報を取得する具体的な方式は、第1の端末装置によって、ネットワーク装置により送信された構成情報を受信することを特に含むことができる。
【０１６０】
さらに、第1の端末装置によって、ネットワーク装置が送信した構成情報を受信する特定の実装態様は、第1の端末装置によって、ネットワーク装置によるシステム情報または無線リソース制御（英語：Radio Resource Control、略して、RRC）シグナリングを用いて送信された構成情報を受信することを含むことができる。
【０１６１】
例えば、RRCシグナリングは、具体的には、RRC接続再構成（RRC Connection Reconfiguration）情報とすることができる。
【０１６２】
さらに、第1の端末装置によって取得された構成情報は、コンテンション・リソース・プールについての情報をさらに含むことができる。
【０１６３】
この場合、第1の端末装置が構成情報を取得すると、データ伝送方法は、コンテンション・リソース・プールから第1の端末装置によって、コンテンション・リソース・プールについての情報に従って第1のリソースブロックとしてリソースブロックを選択するステップをさらに含むことができる。
【０１６４】
さらに、第1のMAC PDUが第1の予約インジケータフィールドを搬送するか、または第1の予約インジケータフィールドおよび第2のリソース・フィードバック・フィールドを搬送する特定の形式の場合、第1の可能な実装態様において、第1の予約インジケータフィールドが、第1のMAC PDUのMACヘッダに含まれ、MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、送信された第1のMAC PDUのMACヘッダに含まれる。
【０１６５】
さらに、第1のMAC PDUが第1の予約インジケータフィールドを搬送するか、または第1の予約インジケータフィールドおよび第2のリソース・フィードバック・フィールドを搬送する特定の形式の場合、第2の可能な実装態様において、第1のMAC PDUが第1の予約インジケータフィールドを搬送する場合、第1の予約インジケータフィールドは、第1のMAC PDUのpayloadフィールドに含まれ、第1のMAC PDUのMACヘッダがMACサブヘッダを含み、MACサブヘッダに対応するデータが第1の予約インジケータフィールドであることを示し、または第1のMAC PDUが第1の予約インジケータフィールドと第2のリソース・フィードバック・フィールドとを搬送する場合、第1の予約インジケータフィールドおよび第2のリソース・フィードバック・フィールドは、第1のMAC PDUのpayloadフィールドに含まれ、第1のMAC PDUのMACヘッダがMACサブヘッダを含み、MACサブヘッダに対応するデータが第1の予約インジケータフィールドと第2のリソース・フィードバック・フィールドであることを示す。
【０１６６】
本発明の別の実施形態は、データ伝送方法を提供する。図9に示すように、データ伝送方法は、以下のステップを含むことができる。
【０１６７】
401．ネットワーク装置は、予約指示情報を含む構成情報を第1の端末装置に送信する。
【０１６８】
本発明のこの実施形態で提供されるデータ伝送方法によると、ネットワーク装置は、予約指示情報を含む構成情報を第1の端末装置に送信する。したがって、第1の端末装置は、予約指示情報に従って判定され、第1のリソースブロックが予約される可能性がある期間に従って第1のリソースブロックを予約することができ、その結果、端末装置が特定のリソースブロックを使用し続けることができなくなり、ネットワークリソースが公平に割り当てられる。
【０１６９】
さらに、予約指示情報は、予約可能期間もしくは予約可能期間範囲を示すために、予約期間指示情報を含み、または予約指示情報は、予約期間指示情報と予約インジケータフィールド長を搬送する情報とを含む。
【０１７０】
さらに、構成情報は、リソースフィードバック情報をさらに含むことができ、リソースフィードバック情報は、リソース・フィードバック・フィールドを搬送するための状況についての情報および／またはリソース・フィードバック・フィールド長を搬送する情報を含むことができる。
【０１７１】
さらに、ステップ401は、ネットワーク装置によって、システム情報またはRRCシグナリングを使用することにより、構成情報を第1の端末装置に送信することを特に含むことができる。
【０１７２】
本発明の別の実施形態は、データ伝送方法を提供する。例えば、第1の端末装置が第1のリソースブロックを予約する予約期間は、タイマを用いて設定される。図10Aおよび図10Bに示すように、本方法は、以下のステップを含むことができる。
【０１７３】
501．第1の端末装置は構成情報を取得する。
【０１７４】
構成情報は、コンテンション・リソース・プールについての情報を含むことができる。さらに、第1の端末装置が第1のリソースブロックを予約する期間を制限するために、構成情報は予約指示情報をさらに含むことができる。予約指示情報は、予約可能期間または予約可能期間範囲を示すために、予約期間指示情報を含むことができる。また、さらに、別の端末装置がリソースブロックを正常に予約しているかどうかを別の端末装置が判断するのを支援するために、構成情報は、リソースフィードバック情報をさらに含むことができる。リソースフィードバック情報は、リソース・フィードバック・フィールドを搬送するための条件についての情報および／またはリソース・フィードバック・フィールド長を搬送する情報を含むことができる。リソースフィードバック情報がリソース・フィードバック・フィールドを搬送するための条件に関する情報を含む場合、搬送され得るリソース・フィードバック・フィールドの長さは、第1の端末装置において予め設定されてもよく、または実用的な用途シナリオの要件に従って、第1の端末装置によって設定されてもよい。
【０１７５】
具体的には、構成情報は、第1の端末装置において予め設定されていてもよいし、またはネットワーク装置から第1の端末装置によって取得されてもよく、すなわち、第1の端末装置が以下の方式のいずれかで構成情報を取得することができる。
【０１７６】
方式1：第1の端末装置が事前に設定された構成情報を取得する。
【０１７７】
方式2：第1の端末装置が、ネットワーク装置によって送信された構成情報を受信する。
【０１７８】
例えば、ネットワーク装置は、システム情報またはRRCシグナリングを使用することにより、構成情報を第1の端末装置に送信することができる。この場合、第1の端末装置は、システム情報またはRRCシグナリングを使用することで、ネットワーク装置によって送信された構成情報を受信することができる。
【０１７９】
構成情報を取得すると、第1の端末装置は、第1の端末装置がデータを送信する必要がある場合に、以下のステップ502からステップ505を実行することができる。
【０１８０】
502．第1の端末装置は、コンテンション・リソース・プールから、コンテンション・リソース・プールについての情報に従って、第1のリソースブロックとしてリソースブロックを選択する。
【０１８１】
第1の端末装置が構成情報を取得すると、第1の端末装置がデータを送信する必要がある場合、第1の端末装置は、コンテンション・リソース・プールから、コンテンション・リソース・プールに関するものであり、構成情報に含まれる情報に従って、第1のリソースブロックとしてリソースブロックをランダムに選択することができる。
【０１８２】
D2D communication技術のD2D communication mode 2において、コンテンション・リソース・プールに関する情報は、SAリソースプールに関する情報およびデータ・リソース・プールに関する情報を含むことができ、コンテンション・リソース・プールは、SAリソースプールおよびデータ・リソース・プールを含むことができる。D2D discovery技術のD2D discovery type 1では、コンテンション・リソース・プールに関する情報はデータ・リソース・プールに関する情報を含み、コンテンション・リソース・プールはデータ・リソース・プールを含むことができる。
【０１８３】
例えば、D2D communication技術のD2D communication mode 2では、第1の端末装置は、SAリソースプールに関する情報とデータ・リソース・プールに関する情報とに従って、SAリソースプールからSAリソースブロックを、データ・リソース・プールからデータ・リソース・ブロックを、ランダムに選択することができる。すなわち、このシナリオでは、本発明のこの実施形態における第1のリソースブロックは、SAリソースブロックおよびデータ・リソース・ブロックを含む。D2D discovery技術のD2D discovery type 1において、第1の端末装置は、データ・リソース・プールに関する情報に従って、データ・リソース・プールからデータ・リソース・ブロックをランダムに選択することができる。すなわち、このシナリオでは、本発明のこの実施形態における第1のリソースブロックは、データ・リソース・ブロックである。
【０１８４】
503．第1の端末装置は、予約指示情報に従ってタイマの時計時刻を判定する。
【０１８５】
タイマの時計時刻は、第1の端末装置が第1のリソースブロックを予約する期間である。構成情報を取得すると、第1の端末装置は、構成情報に含まれる予約指示情報に従って、タイマの時計時刻を判定し、第1の端末装置が第1のリソースブロックを予約することができる期間として時計時刻を使用することができる。
【０１８６】
第1の端末装置によって、予約指示情報に従ってタイマの時計時刻を判定するステップは、
予約期間指示情報が予約期間を示すために使用される場合、予約期間指示情報に従って第1の端末装置によって、予約可能期間がタイマの時計時刻であると判定するステップか、または予約期間指示情報が予約可能期間範囲を示すために使用される場合、予約期間指示情報に従って第1の端末装置によって、予約可能期間範囲内の任意の期間がタイマの時計時刻であると判定するステップを特に含むことができる。
【０１８７】
504．第1の端末装置は、第1の予約インジケータフィールドをプリセット値として構成する。
【０１８８】
第1の端末装置が第1のリソースブロックを予約する必要がある場合、第1の端末装置は、第1の予約インジケータフィールドをプリセット値として構成して、現在データ送信を行うために使用されるリソースブロックの予約が期待される、すなわち、第1のリソースブロックの予約が期待される、と示すことができる。
【０１８９】
例えば、第1の予約インジケータフィールドの長さが1ビットである場合、"1"をプリセット値として設定することができ、すなわち、第1の端末装置が第1のリソースブロックを予約する必要がある場合、第1の端末装置は、第1の予約インジケータフィールドを"1"と構成して、第1のリソースブロックの予約が期待されることを示すことができる。また、第1の端末装置が第1のリソースブロックを予約する必要がない場合、第1の端末装置は、第1の予約インジケータフィールドを"0"と構成することができる。
【０１９０】
505．第1の端末装置は、コンテンション・リソース・プールを監視し、リソースフィードバック情報と、コンテンション・リソース・プール内のリソースブロックの予約状況であり、監視することで取得される予約状況とに従って、第2のリソース・フィードバック・フィールドを生成する。
【０１９１】
端末装置がリソースブロックを正常に予約するかどうかを別の端末装置が判断するのを助けるために、構成情報を受信した後に、第1の端末装置はコンテンション・リソース・プールを監視し、構成情報に含まれるリソースフィードバック情報と、コンテンション・リソース・プール内のリソースブロックの予約状況であり、監視することで取得された予約状況とに従って、第1のMAC PDUが送信される前にコンテンション・リソース・プール内のリソースブロックの予約状況を示すために使用される第2のリソース・フィードバック・フィールドを生成することができる。第1のMAC PDUを送信する前にコンテンション・リソース・プール内のリソースブロック上のデータを第1の端末装置が正常に受信した場合、第1の端末装置は、リソースブロックが正常に予約されたとみなし、または第1のMAC PDUを送信する前にコンテンション・リソース・プール内のリソースブロック上のデータを第1の端末装置が正常に受信しなかった（正常に受信されなかったデータは、リソースブロック上の何らのデータも受信していない可能性があるか、またはリソースブロック上のデータを受信しているが、そのデータを正常に復号していない可能性がある）場合、第1の端末装置は、リソースブロックが正常に予約されなかったとみなす。
【０１９２】
リソースフィードバック情報は、リソース・フィードバック・フィールドを搬送するための条件についての情報および／またはリソース・フィードバック・フィールド長を搬送する情報を含むことができる。この場合、第1の端末装置によって、リソースフィードバック情報と、コンテンション・リソース・プール内のリソースブロックの予約状況であり、監視することで取得される予約状況とに従って第2のリソース・フィードバック・フィールドを生成するステップが、
リソースフィードバック情報がリソース・フィードバック・フィールドを搬送するための状況についての情報を含む場合、リソース・フィードバック・フィールドを搬送するための状況についての情報であると判定された場合、第1の端末装置によって、リソース・フィードバック・フィールド長を搬送する所定の情報に従って、およびコンテンション・リソース・プール内のリソースブロックの予約状況であり、監視することで取得される予約状況に従って、第2のリソース・フィードバック・フィールドを生成するステップか、またはリソースフィードバック情報がリソース・フィードバック・フィールド長を搬送する情報を含む場合、第1の端末装置によって、リソース・フィードバック・フィールド長を搬送する、リソースフィードバック情報に含まれる情報に従って、およびコンテンション・リソース・プール内のリソースブロックの予約状況であり、監視することで取得される予約状況に従って、第2のリソース・フィードバック・フィールドを生成するステップか、またはリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であると判定された場合、第1の端末装置によって、リソース・フィードバック・フィールド長を搬送する、リソースフィードバック情報内に含まれる情報に従って、およびコンテンション・リソース・プール内のリソースブロックの予約状況であり、監視することで取得される予約状況に従って、第2のリソース・フィードバック・フィールドを生成するステップ、
を特に含むことができる。
【０１９３】
リソース・フィードバック・フィールドを搬送するための条件に関する情報は、確率値であってもよい。第1の端末装置は、確率値に従って、リソース・フィードバック・フィールドを搬送するための条件に関する情報が満たされているかどうかを判定することができる。
【０１９４】
例えば、第2のリソース・フィードバック・フィールドは、ビットマップ（bitmap）形式とすることができる。各ビットは、コンテンション・リソース・プール内の1つのリソースブロックを表す。さらに、リソースブロックが正常に予約されていないことを示すために"0"を使用することができ、リソースブロックが正常に予約されたことを示すために"1"を使用することができる。例えば、リソースフィードバック情報は、リソース・フィードバック・フィールド長を搬送する情報を含み、リソース・フィードバック・フィールド長を搬送する情報は3ビットである。したがって、第1のMAC PDUを送信する前に、第1の端末装置は、コンテンション・リソース・プールの監視状況に従って、第1のリソースブロックに先行する3つのリソースブロック（または、第1のリソースブロックに続く3つのリソースブロック）の予約状況を判定し、対応するリソースブロックの予約状況およびリソース・フィードバック・フィールド長を搬送する情報に従って、第2のリソース・フィードバック・フィールドを生成することができる。例えば、第1のMAC PDUを送信する前に、第1の端末装置は、第1のリソースブロックに先行する3つのリソースブロック内の第1のリソースブロック上のデータを正常に受信せず、第2のリソースブロック上のデータを正常に受信し、第3のリソースブロック上のデータを正常に受信しない。この場合、第1の端末装置は、第1のリソースブロックに先行する3つのリソースブロックの第1のリソースブロックが正常に予約されておらず、第2のリソースブロックが正常に予約され、第3のリソースブロックが正常に予約されていないと判定することができる。したがって、対応するリソースブロックの予約状況およびリソース・フィードバック・フィールド長を搬送する情報に従って、第1の端末装置によって生成される第2のリソース・フィードバック・フィールドは、010である。
【０１９５】
506．第1の端末装置は、第1のリソースブロックを使用して第1のMAC PDUを送信し、タイマを起動する。
【０１９６】
第1の端末装置が、第1の予約インジケータフィールドを構成し、第2のリソース・フィードバック・フィールドを生成し、タイマの時計時刻を判定すると、第1の端末装置は、第1のリソースブロックを使用して、第1の予約インジケータフィールドと、第2の予約フィードバックフィールドと、送信する必要のあるデータとを搬送する第1のMAC PDUを送信し、第1のMAC PDUを送信した場合にタイマを起動することができ、その結果、タイマが時計を起動する。
【０１９７】
例えば、D2D communication技術のD2D communication mode 2では、第1のリソースブロックはSAリソースブロックとデータ・リソース・ブロックとを含む。したがって、第1の端末装置によって、第1のリソースブロックを使用することで第1のMAC PDUを送信するステップは、まず、第1の端末装置によって、SAリソースブロックを使用することで、データ・リソース・プール内のデータ・リソース・ブロックの時間周波数リソース位置と変調および符号化方式とを示すために使用されるSA情報をブロードキャストするステップと、次いで、データ・リソース・ブロックを使用することで、SA情報により示された変調および符号化方式に従って第1のMAC PDUをブロードキャストするステップと、タイマを起動するステップと、を特に含む。
【０１９８】
例えば、D2D discovery技術のD2D discovery type 1では、第1のリソースブロックはデータ・リソース・ブロックである。したがって、第1の端末装置によって、第1のリソースブロックを使用して第1のMAC PDUを送信するステップは、データ・リソース・ブロックを使用して第1のMAC PDUをブロードキャストするステップ、およびタイマを起動するステップを特に含む。
【０１９９】
第1のMAC PDUが第1の予約インジケータフィールドを搬送するか、または第1の予約インジケータフィールドおよび第2のリソース・フィードバック・フィールドを搬送する特定の形式の場合、第1の可能な実装態様において、第1の予約インジケータフィールドが、第1のMAC PDUのMACヘッダに含まれ、MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、送信された第1のMAC PDUのMACヘッダに含まれる。第1のMAC PDUの特定のフォーマットは、図11および図12に示すことができる。
【０２００】
第2の可能な実装態様では、第1のMAC PDUが第1の予約インジケータフィールドを搬送する場合、第1の予約インジケータフィールドは、第1のMAC PDUのpayloadフィールドに含まれ、第1のMAC PDUのMACヘッダは、MACサブヘッダを含み、MACサブヘッダに対応するデータが第1の予約インジケータフィールドであることを示す。第1のMAC PDUの特定のフォーマットは、図13に示すことができる。あるいは、第1のMAC PDUが第1の予約インジケータフィールドと第2のリソース・フィードバック・フィールドとを搬送する場合、第1の予約インジケータフィールドおよび第2のリソース・フィードバック・フィールドは、第1のMAC PDUのpayloadフィールドに含まれ、第1のMAC PDUのMACヘッダは、MACサブヘッダを含み、MACサブヘッダに対応するデータが第1の予約インジケータフィールドおよび第2のリソース・フィードバック・フィールドであることを示す。第1のMAC PDUの特定のフォーマットは、図14に示すことができる。
【０２０１】
本発明のこの実施形態で提供される図11から図14に示される第1のMAC PDUの特定のフォーマットの概略図は、第1のMAC PDUに含むことができるフィールドを単に記述するものであり、各フィールドの長さに特定の制限を設定するものではないことを留意されたい。図11から図14に示す各フィールドの長さは一例に過ぎない。すなわち、本発明のこの実施形態は、本明細書における第1のMAC PDUに含まれるフィールドのタイプと、各フィールドの長さとを特に限定するものではない。具体的には、第1のMAC PDUに含まれるフィールドのタイプと各フィールドの長さは、実際の用途シナリオの要求に応じて設定することができる。
【０２０２】
507．第1の端末装置は、第2の端末装置のセットによって第2のリソースブロックを使用して送信された第2のMAC PDUを受信する。
【０２０３】
第2の端末装置のセットは、少なくとも1つの第2の端末装置を含む。第2のMAC PDUは、第2の予約インジケータフィールドおよび第1のリソース・フィードバック・フィールドを搬送する。第2の予約インジケータフィールドは、第2の端末装置に第2のリソースブロックを予約するよう指示するために使用され、第1のリソース・フィードバック・フィールドは、第1のリソースブロックが正常に予約されたかどうかを示すために使用される。
【０２０４】
第1の端末装置が、第1のリソースブロックを使用することで、第1の予約インジケータフィールドを搬送する第1のMAC PDUと、第2のリソース・フィードバック・フィールドと、送信する必要があるデータとを送信すると、第1の端末装置が、第2のリソースブロックを使用することで第2の端末装置のセットによって送信され、第2の予約インジケータフィールドと第1のリソース・フィードバック・フィールドとを搬送する、第2のMAC PDUを受信した場合、第1の端末装置が新たなMAC PDUを送信する必要がある場合に、第1の端末装置は、受信した第2のMAC PDUで搬送された第2の予約インジケータフィールドおよび1のリソース・フィードバック・フィールドならびにタイマの時計時刻に従って、新たなMAC PDUを送信するのに使用されるリソースブロックを判定することができる。これは、以下のステップ508からステップ510を特に含むことができる。
【０２０５】
508．第1の端末装置は、第2の端末装置のセット内の第2の端末装置によって送信された第1のリソース・フィードバック・フィールドに従って、第1のリソースブロックが正常に予約されたかどうかを判定し、タイマが時計を止めたかどうかを判定する。
【０２０６】
第2のリソースブロックを使用して第2の端末装置のセットにより送信され、第2の予約インジケータフィールドと第1のリソース・フィードバック・フィールドとを搬送する、第2のMAC PDUを受信すると、第1の端末装置は、第2の端末装置のセット内の第2の端末装置によって送信された受信された第2のMAC PDUで搬送された第1のリソース・フィードバック・フィールドに従って、第1のリソースブロックが正常に予約されたかどうかを判定し、タイマが時計を止めたかどうかを判定することができる。
【０２０７】
例えば、D2D communication技術のD2D communication mode 2において、第1のリソースブロックが正常に予約されたことは、SAリソースブロックとデータ・リソース・ブロックとの両方が正常に予約されたことを意味し、第1のリソースブロックが正常に予約されないことは、SAリソースブロックかデータ・リソース・ブロックかの少なくとも一方が、正常に予約されなかったことを意味する。D2D discovery技術のD2D discovery type 1において、第1のリソースブロックが正常に予約されたことは、データ・リソース・ブロックが正常に予約されたことを意味し、第1のリソースブロックが正常に予約されないことは、データ・リソース・ブロックが、正常に予約されなかったことを意味する。
【０２０８】
509．第1のリソースブロックが正常に予約され、タイマが時計を停止しない場合、第1の端末装置は、第1のリソースブロックが新たなMAC PDUを送信するために使用されるリソースブロックであると判定し、第1のリソースブロックを使用することで新たなMAC PDUを送信する。
【０２０９】
新たなMAC PDUで搬送される予約インジケータフィールドはプリセット値であり、第1のリソースブロックのさらなる予約が予想されることを示すために使用される。
【０２１０】
510．第1のリソースブロックが正常に予約され、タイマが時計を停止した場合、または第1のリソースブロックが正常に予約されず、タイマが時計を停止した場合、または第1のリソースブロックが正常に予約されず、タイマが時計を停止しない場合、第1の端末装置は、第2の端末装置のセット内の全ての第2の端末装置によって送信された第2の予約インジケータフィールドに従って、コンテンション・リソース・プールから、新たなMAC PDUを送信するために使用されるリソースブロックとして新たなリソースブロックを判定し、新たなリソースブロックを用いて新たなMAC PDUを送信する。
【０２１１】
本発明のこの実施形態で提供されるデータ伝送方法によれば、第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されたリソース・フィードバック・フィールドに従って、第1のリソースブロックが正常に予約された、すなわち、リソース衝突が発生しなかったと判定すると、第1の端末装置は、第1のリソースブロックを使用して新たなMAC PDUを送信し続け、または別の端末装置によって送信された受信MAC PDUで搬送されたリソース・フィードバック・フィールドに従って、第1のリソースブロックが正常に予約されなかった、すなわち、リソース衝突が発生したと判定すると、第1の端末装置は、新たなリソースブロックを再選択して、新たなMAC PDUを送信する。したがって、送信リソース衝突率が効果的に低減され、伝送効率が向上する。
【０２１２】
また、第1のリソースブロックは、構成情報内の予約指示情報に従って決定され、第1の端末装置が第1のリソースブロックを予約することができる期間を使用して予約され、その結果、端末装置は特定のリソースブロックを使用し続けることができなくなり、ネットワークリソースが公平に割り当てられる。
【０２１３】
本発明の別の実施形態は、データ伝送方法を提供する。例えば、第1の端末装置が第1のリソースブロックを予約する予約期間は、時間パラメータを用いて設定される。図15Aおよび図15Bに示すように、本方法は、以下のステップを含むことができる。
【０２１４】
601．第1の端末装置は構成情報を取得する。
【０２１５】
構成情報は、コンテンション・リソース・プールについての情報を含むことができる。さらに、第1の端末装置が第1のリソースブロックを予約する期間を制限するために、構成情報は予約指示情報をさらに含むことができる。予約指示情報は、予約可能期間もしくは予約可能期間範囲を示すために、予約期間指示情報を含むことができ、または予約指示情報は、予約期間指示情報と予約インジケータフィールド長を搬送する情報とを含むことができる。また、別の端末装置のリソースが正常に予約されたかどうかを別の端末装置が判断するのを支援するために、構成情報は、リソースフィードバック情報をさらに含むことができる。リソースフィードバック情報は、リソース・フィードバック・フィールドを搬送するための条件についての情報および／またはリソース・フィードバック・フィールド長を搬送する情報を含むことができる。リソースフィードバック情報がリソース・フィードバック・フィールドを搬送するための条件に関する情報を含む場合、搬送され得るリソース・フィードバック・フィールドの長さは、第1の端末装置において予め設定されてもよく、または実用的な用途シナリオの要件に従って、第1の端末装置によって設定されてもよい。
【０２１６】
構成情報を取得すると、第1の端末装置は、第1の端末装置がデータを送信する必要がある場合に、以下のステップ602からステップ605を実行することができる。
【０２１７】
602．第1の端末装置は、コンテンション・リソース・プールから、コンテンション・リソース・プールについての情報に従って、第1のリソースブロックとしてリソースブロックを選択する。
【０２１８】
603．第1の端末装置は、予約指示情報に従って予約期間を判定する。
【０２１９】
予約期間は、第1の端末装置が第1のリソースブロックを予約する期間である。構成情報を取得すると、第1の端末装置は、構成情報に含まれる予約指示情報に従って、予約期間を判定し、第1の端末装置が第1のリソースブロックを予約することができる時間として予約期間を使用することができる。
【０２２０】
第1の端末装置によって、予約指示情報に従って予約期間を判定するステップは、
予約指示情報が予約期間指示情報を含み、予約期間指示情報が予約可能期間を示すために使用される場合、予約期間指示情報に従って第1の端末装置によって、予約可能期間が予約期間であると判定するステップか、または予約指示情報が予約期間指示情報を含み、予約期間指示情報が予約可能期間範囲を示すために使用される場合、予約期間指示情報に従って第1の端末装置によって、予約可能期間範囲内の任意の範囲が予約期間であると判定するステップか、または予約指示情報が予約期間指示情報と、予約インジケータフィールド長を搬送する情報とを含む場合、第1の端末装置によって、予約期間指示情報と、予約インジケータフィールド長を搬送する情報とに従って予約期間を判定するステップを特に含むことができる。
例えば、予約期間＝min［予約期間指示情報，予約インジケータフィールド長を搬送する情報］であり、予約期間指示情報は［0，20］であり、予約インジケータフィールド長を搬送する情報は3ビット（bit）（最大値8を表すことができる）であると仮定される。予約期間指示情報が予約可能期間範囲を示すために使用される場合、第1の端末装置が、［0，20］から、予約期間が12であるが、予約インジケータフィールド長を搬送する情報が3 bitであるとまず判定した場合、最終的に判定される予約期間は、8とすることができる。
【０２２１】
604．第1の端末装置は、第1の予約インジケータフィールドを予約期間に従って構成する。
【０２２２】
第1の端末装置が第1のリソースブロックを予約する必要がある場合、第1の端末装置は、判定された予約期間に従って第1の予約インジケータフィールドを構成して、現在データ送信を行うために使用されるリソースブロックの予約が期待される、すなわち、第1のリソースブロックの予約が期待されることを示し、時間パラメータを示すことができる。時間パラメータは0以上であり、予約期間、すなわち、第1の端末装置が第1のリソースブロックを予約することができる期間を示すために使用される。
【０２２３】
605．第1の端末装置は、コンテンション・リソース・プールを監視し、リソースフィードバック情報と、コンテンション・リソース・プール内のリソースブロックの予約状況であり、監視することで取得される予約状況とに従って、第2のリソース・フィードバック・フィールドを生成する。
【０２２４】
606．第1の端末装置は、第1のリソースブロックを使用して第1のMAC PDUを送信する。
【０２２５】
第1の端末装置が、第1の予約インジケータフィールドを構成し、第2のリソース・フィードバック・フィールドを生成すると、第1の端末装置は、第1のリソースブロックを使用して、第1の予約インジケータフィールドと、第2の予約フィードバックフィールドと、送信する必要のあるデータとを搬送する第1のMAC PDUを送信することができる。さらに、時間パラメータは時間とともに徐々に減少する。
【０２２６】
607．第1の端末装置は、第2の端末装置のセットによって第2のリソースブロックを使用して送信された第2のMAC PDUを受信する。
【０２２７】
第1の端末装置が、第1のリソースブロックを使用することで、第1の予約インジケータフィールドを搬送する第1のMAC PDUと、第2のリソース・フィードバック・フィールドと、送信する必要があるデータとを送信すると、第1の端末装置が、第2のリソースブロックを使用することで第2の端末装置のセットによって送信され、第2の予約インジケータフィールドと第1のリソース・フィードバック・フィールドとを搬送する、第2のMAC PDUを受信した場合、第1の端末装置が新たなMAC PDUを送信する必要がある場合に、第1の端末装置は、受信した第2のMAC PDUで搬送された第2の予約インジケータフィールド、第1のリソース・フィードバック・フィールド、および時間パラメータに従って、新たなMAC PDUを送信するのに使用されるリソースブロックを判定することができ、ここで、時間パラメータは、時間とともに徐々に減少する。これは、以下のステップ608からステップ610を特に含むことができる。
【０２２８】
608．第1の端末装置は、第2の端末装置のセット内の第2の端末装置によって送信された第1のリソース・フィードバック・フィールドに従って、第1のリソースブロックが正常に予約されたかどうかを判定し、時間パラメータが0かどうかを判定する。
【０２２９】
第2のリソースブロックを使用して第2の端末装置のセットにより送信され、第2の予約インジケータフィールドと第1のリソース・フィードバック・フィールドとを搬送する、第2のMAC PDUを受信すると、第1の端末装置は、第2の端末装置のセット内の第2の端末装置によって送信された受信された第2のMAC PDUで搬送された第1のリソース・フィードバック・フィールドに従って、第1のリソースブロックが正常に予約されたかどうかを判定し、時間パラメータが0かどうかを判定することができる。
【０２３０】
609．第1のリソースブロックが正常に予約され、時間パラメータが0ではない場合、第1の端末装置は、第1のリソースブロックが新たなMAC PDUを送信するために使用されるリソースブロックであると判定し、第1のリソースブロックを使用することで新たなMAC PDUを送信する。
【０２３１】
新たなMAC PDUで搬送される予約インジケータフィールドは現在の時間パラメータに従った構成により取得され、第1のリソースブロックのさらなる予約が予想されることを示すために使用される。
【０２３２】
610．第1のリソースブロックが正常に予約され、時間パラメータが0である場合、または第1のリソースブロックが正常に予約されず、時間パラメータが0である場合、または第1のリソースブロックが正常に予約されず、時間パラメータが0ではない場合、第1の端末装置は、第2の端末装置のセット内の全ての第2の端末装置によって送信された第2の予約インジケータフィールドに従って、コンテンション・リソース・プールから、新たなMAC PDUを送信するために使用されるリソースブロックとして新たなリソースブロックを判定し、新たなリソースブロックを用いて新たなMAC PDUを送信する。
【０２３３】
本発明のこの実施形態におけるステップ601からステップ610の具体的な説明については、本発明の別の実施形態におけるステップ501からステップ510の対応するステップの具体的な説明を参照することができ、その詳細は本発明のこの実施形態では、本明細書において、再度説明しないことが理解されよう。
【０２３４】
本発明のこの実施形態で提供されるデータ伝送方法を当業者に理解させるために、端末装置が車両である例を本発明で具体的な実施処理を説明するために本発明で使用する。
【０２３５】
例えば、図16に示すように、コンテンション・リソース・プールは、時間領域で7個のリソースブロックに分割され、7個のリソースブロックの通し番号は＃1、＃2、＃3、＃4、＃5、＃6、および＃7である。また、車両1、車両2、車両3、および車両4の4つの車両が領域内に存在し、これらの4つの車両は全てV2V情報を送信する必要がある。
【０２３６】
車両1および車両2は共に、コンテンション・リソース・プールに関する取得した情報に従って、ランダムに選択することで、データを送信するリソースブロック＃2を選択する。また、車両1によって判定される予約期間が7であり、予約期間に応じて車両1が構成する予約インジケータフィールドが7であると仮定すると、車両1が7期間の間リソースブロック＃2を予約することが期待されることが示される。車両2によって判定される予約期間が9であり、予約期間に応じて車両2が構成する予約インジケータフィールドが9であると仮定すると、車両2が9期間の間リソースブロック＃2を予約することが期待されることが示される。また、予約インジケータフィールドを別途に構成すると、車両1および車両2は、構成された予約インジケータフィールドをMAC PDUに追加し、リソースブロック＃2を用いてMAC PDUを周辺車両にブロードキャストすることができる。
【０２３７】
車両1および車両2の周囲の車両、例えば、車両3は、コンテンション・リソース・プールに関する取得した情報に従ってランダムに選択することで、データを送信するためにリソースブロック＃4を選択し、他のどの車両も車両3とリソースを取り合うことがない（したがって、車両3が送信したデータは、車両1および車両2によって正常に受信されることができる）と仮定される。車両3によって判定される予約期間が5であり、予約期間に応じて車両3が構成する予約インジケータフィールドが5であると仮定すると、車両3が5期間の間リソースブロック＃4を予約することが期待されることが示される。また、車両3は、MAC PDUを送信する前に、リソースフィードバック情報に従ってリソース・フィードバック・フィールド000を生成する（リソース・フィードバック・フィールド長を搬送する情報は3ビットと仮定し、3ビットは、それぞれ、左から右に、現在のリソースブロック＃4の前の3つのリソースブロック、すなわち、リソースブロック＃1、リソースブロック＃2、およびリソースブロック＃3の予約状況を示し、1は、正常予約を示し、0は失敗予約を示す）。リソースブロック＃1およびリソースブロック＃3は、車両が情報を送信するために使用していないため、リソースブロック＃1およびリソースブロック＃3の予約状況は0に設定される。車両1と車両2とは、互いに隣接しており、同じ時間周波数リソース、すなわちリソースブロック＃2を使用してデータを送信する。したがって、伝送リソースの衝突が発生する。この場合、車両3は、リソースブロック＃2のエネルギーを検出することができるものの、車両3はデータを正常に受信することができない。したがって、リソースブロック＃2の予約状況も0に設定される。また、予約インジケータフィールドとリソース・フィードバック・フィールドとを構成すると、車両3は、構成された予約インジケータフィールドとリソース・フィードバック・フィールドとをMAC PDUに追加し、リソースブロック＃4を用いてMAC PDUを周辺車両にブロードキャストすることができる。
【０２３８】
次いで、車両1および車両2は、車両3のMAC PDUを正常に受信することができ、車両3の受信したMAC PDUで搬送されるリソース・フィードバック・フィールドに従って、車両1および車両2によって送信されたMAC PDUが、周辺車両により正常に受信されていないと判定する、すなわち、リソースブロック＃2が正常に予約されていないと判定することができる。この場合、車両1および車両2は、車両3のMAC PDUで搬送される予約インジケータフィールドに従って、コンテンション・リソース・プールから、新たなMAC PDUを送信するために使用される新たなリソースブロックを別個に判定することができる。例えば、車両1は、車両3のMAC PDUで搬送された予約インジケータフィールドに従って、新たなリソースブロックがリソースブロック＃1であると判定する。
【０２３９】
また、車両3の周囲の車両、例えば、車両4は、周辺車両のMAC PDUを受信し続けることにより、リソースブロック＃4のみが正常に予約されていると判定すると仮定される。この場合、車両4は、コンテンション・リソース・プールに関する取得した情報に従って、データを送信するためにリソースブロック＃7を選択し、他のどの車両も車両4とリソースを取り合うことがない（したがって、車両4が送信したデータは、車両3によって正常に受信することができる）と仮定される。車両4によって判定される予約期間が9であり、予約期間に応じて車両4が構成する予約インジケータフィールドが9であると仮定すると、車両4が9期間の間リソースブロック＃7を予約することが期待されることが示される。さらに、車両4は、MAC PDUを送信する前に、リソースフィードバック情報に従ってリソース・フィードバック・フィールド100を生成する。3ビット100は、左から右に、現在のリソースブロック＃7の前の3つのリソースブロック、すなわち、リソースブロック＃4、リソースブロック＃5、およびリソースブロック＃6の予約状況をそれぞれ示す。リソースブロック＃4は正常に予約される。また、予約インジケータフィールドとリソース・フィードバック・フィールドとを構成すると、車両4は、構成された予約インジケータフィールドとリソース・フィードバック・フィールドとをMAC PDUに追加し、リソースブロック＃7を用いてMAC PDUを周辺車両にブロードキャストすることができる。
【０２４０】
次いで、車両4のMAC PDUを正常に受信すると、車両3は、車両4の受信したMAC PDUで搬送されるリソース・フィードバック・フィールドに従って、車両3によって送信されたMAC PDUが、周辺車両により正常に受信されたと判定する、すなわち、リソースブロック＃4が正常に予約さたと判定する。この場合、車両3は、予約時間が終了するか第三者がリソースブロック＃4が正常に予約されないと判定するまで、リソースブロック＃4が新たなMAC PDUを送信するために使用されるリソースブロックであると判定することができる。
【０２４１】
本発明のこの実施形態で提供されるデータ伝送方法によれば、第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されたリソース・フィードバック・フィールドに従って、第1のリソースブロックが正常に予約された、すなわち、リソース衝突が発生しなかったと判定すると、第1の端末装置は、第1のリソースブロックを使用して新たなMAC PDUを送信し続け、または別の端末装置によって送信された受信MAC PDUで搬送されたリソース・フィードバック・フィールドに従って、第1のリソースブロックが正常に予約されなかった、すなわち、リソース衝突が発生したと判定すると、第1の端末装置は、新たなリソースブロックを再選択して、新たなMAC PDUを送信する。したがって、送信リソース衝突率が効果的に低減され、伝送効率が向上する。
【０２４２】
また、第1のリソースブロックは、構成情報内の予約指示情報に従って決定され、第1の端末装置が第1のリソースブロックを予約することができる期間を使用して予約され、その結果、端末装置は特定のリソースブロックを使用し続けることができなくなり、ネットワークリソースが公平に割り当てられる。
【０２４３】
本発明の別の実施形態は、第1の端末装置を提供する。図17に示すように、第1の端末装置は、送信器71と、受信器72と、プロセッサ73とを含む。
【０２４４】
送信器71は、第1のリソースブロックを使用して第1のメディアアクセス制御MACプロトコルデータユニットPDUを送信するよう構成され、第1のMAC PDUは、第1のリソースブロックを予約するよう第1の端末装置に指示するために、第1の予約インジケータフィールドを搬送する。
【０２４５】
受信器72は、第2の端末装置のセットによって第2のリソースブロックを使用して送信された第2のMAC PDUを受信するよう構成され、第2の端末装置のセットは少なくとも1つの第2の端末装置を含み、第2のMAC PDUは、第1のリソース・フィードバック・フィールドを搬送して、第1のリソースブロックが正常に予約されたことを示す。
【０２４６】
プロセッサ73は、受信器72によって受信され、第2の端末装置のセット内の第2の端末装置によって送信される第1のリソース・フィードバック・フィールドに従って、第1のMAC PDUを送信するために送信器71によって使用される第1のリソースブロックが新たなMAC PDUを送信するために使用されるリソースブロックであると判定するよう構成される。
【０２４７】
送信器71は、プロセッサ73によって判定された第1のリソースブロックを用いて、新たなMAC PDUを送信するようさらに構成される。
【０２４８】
本発明のこの実施形態において、さらに、受信器72によって受信された第2のMAC PDUは、第2の端末装置に第2のリソースブロックを予約するように指示するために、第2の予約インジケータフィールドをさらに搬送する。
【０２４９】
本発明のこの実施形態では、さらに、受信器72によって受信された第2のMAC PDUで搬送された第1のリソース・フィードバック・フィールドは、第1のリソースブロックがうまく予約されていないことを示すために使用される。
【０２５０】
プロセッサ73は、受信器72が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定するようさらに構成され、第1のリソース・フィードバック・フィールドが第2の端末装置のセット内の第2の端末装置によって送信され、第2の予約インジケータフィールドが第2の端末装置のセット内の全ての第2の端末装置によって送信される。
【０２５１】
送信器71は、プロセッサ73によって判定された新たなリソースブロックを用いて、新たなMAC PDUを送信するようさらに構成される。
【０２５２】
本発明のこの実施形態では、さらに、プロセッサ73は、送信器71が第1のリソースブロックを用いて第1のメディアアクセス制御MACプロトコルデータユニットPDUを送信する前に、予約指示情報を含む構成情報を取得するようさらに構成される。
【０２５３】
プロセッサ73は、プロセッサ73が取得した予約指示情報に従って、第1の端末装置が第1のリソースブロックを予約する期間であるタイマの時計時刻を判定するようさらに構成される。
【０２５４】
プロセッサ73は、送信器71が第1のリソースブロックを用いて第1のMAC PDUを送信した場合にタイマを起動するようさらに構成される。
【０２５５】
プロセッサ73は、プロセッサ73によって起動されたタイマが時計を止めない場合、受信器72によって受信され、第2の端末装置のセット内の第2の端末装置によって送信される第1のリソース・フィードバック・フィールドに従って、第1のMAC PDUを送信するために送信器71によって使用される第1のリソースブロックが新たなMAC PDUを送信するために使用されるリソースブロックであると判定するよう特に構成される。
【０２５６】
本発明のこの実施形態では、さらに、プロセッサ73は、プロセッサ73により起動されたタイマが計時を停止した場合に、受信器72が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【０２５７】
本発明のこの実施形態では、さらに、プロセッサ73は、送信器71が第1のリソースブロックを用いて第1のメディアアクセス制御MACプロトコルデータユニットPDUを送信する前に、予約指示情報を含む構成情報を取得するようさらに構成される。
【０２５８】
プロセッサ73は、プロセッサ73が取得した予約指示情報に従って、第1の端末装置が第1のリソースブロックを予約する期間であるタイマの時計時刻を判定するようさらに構成される。
【０２５９】
プロセッサ73は、送信器71が第1のリソースブロックを用いて第1のMAC PDUを送信した場合にタイマを起動するようさらに構成される。
【０２６０】
プロセッサ73は、プロセッサ73により起動されたタイマが計時を停止した場合に、またはプロセッサ73により起動されたタイマが計時を停止しなかった場合に、受信器72が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【０２６１】
本発明のこの実施形態では、特に、プロセッサ73により取得された予約指示情報は、予約可能期間または予約可能期間範囲を示すために、予約期間指示情報を含む。
【０２６２】
プロセッサ73は、プロセッサ73によって取得された予約期間指示情報が、予約可能期間を示すために使用される場合、プロセッサ73によって取得された予約期間指示情報に従って、予約可能期間が、タイマの時計時刻であると判定するか、またはプロセッサ73によって取得された予約期間指示情報が予約可能期間範囲を示すために使用される場合、プロセッサ73によって取得された予約期間指示情報に従って、予約可能期間範囲内の任意の期間がタイマの時計時刻であると判定する、よう特に構成される。
【０２６３】
本発明のこの実施形態では、さらに、プロセッサ73は、送信器71が第1のリソースブロックを用いて第1のメディアアクセス制御MACプロトコルデータユニットPDUを送信する前に、予約指示情報を含む構成情報を取得するようさらに構成される。
【０２６４】
プロセッサ73は、プロセッサ73が取得した予約指示情報に従って、第1の端末装置が第1のリソースブロックを予約する期間である予約期間を判定するようさらに構成される。
【０２６５】
送信器71によって送信された第1のMAC PDUで搬送される第1の予約インジケータフィールドは、時間パラメータを示すためにさらに使用され、時間パラメータは0以上であり、時間パラメータは予約期間を示すために使用される。
【０２６６】
プロセッサ73は、時間パラメータが0ではない場合、受信器72によって受信され、第2の端末装置のセット内の第2の端末装置によって送信される第1のリソース・フィードバック・フィールドに従って、第1のMAC PDUを送信するために送信器71によって使用される第1のリソースブロックが新たなMAC PDUを送信するために使用されるリソースブロックであると判定するよう特に構成される。
【０２６７】
本発明のこの実施形態では、さらに、プロセッサ73は、時間パラメータが0の場合に、受信器72が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【０２６８】
本発明のこの実施形態では、さらに、プロセッサ73は、送信器71が第1のリソースブロックを用いて第1のメディアアクセス制御MACプロトコルデータユニットPDUを送信する前に、予約指示情報を含む構成情報を取得するようさらに構成される。
【０２６９】
プロセッサ73は、プロセッサ73が取得した予約指示情報に従って、第1の端末装置が第1のリソースブロックを予約する期間である予約期間を判定するようさらに構成される。
【０２７０】
送信器71によって送信された第1のMAC PDUで搬送される第1の予約インジケータフィールドは、時間パラメータを示すためにさらに使用され、時間パラメータは0以上であり、時間パラメータは予約期間を示すために使用される。
【０２７１】
プロセッサ73は、時間パラメータが0の場合、または時間パラメータが0ではない場合に、受信器72が受信した第1のリソース・フィードバック・フィールドおよび第2の予約インジケータフィールドに従ってコンテンション・リソース・プールから、新たなMAC PDUを送信するために使用されるリソースブロックとして新たなリソースブロックを判定し、第1のリソース・フィードバック・フィールドが第2の端末装置のセット内の第2の端末装置によって送信され、第2の予約インジケータフィールドが第2の端末装置のセット内の全ての第2の端末装置によって送信される。
【０２７２】
本発明のこの実施形態では、さらに、プロセッサ73は、送信器71が第1のリソースブロックを用いて第1のメディアアクセス制御MACプロトコルデータユニットPDUを送信する前に、プロセッサ73により判定された予約期間に従って、第1の予約インジケータフィールドをさらに構成するよう構成される。
【０２７３】
本発明のこの実施形態において、さらに、プロセッサ73によって取得される予約指示情報は、予約可能期間もしくは予約可能期間範囲を示すために、予約期間指示情報を含み、またはプロセッサ73によって取得された予約指示情報は、予約期間指示情報と予約インジケータフィールド長を搬送する情報とを含む。
【０２７４】
プロセッサ73が、プロセッサ73によって取得された予約指示情報が予約期間指示情報を含み、予約期間指示情報が予約期間を指示するために使用される場合、プロセッサ73によって取得された予約期間指示情報に従って、予約可能期間が予約期間であると判定し、またはプロセッサ73によって取得された予約指示情報が予約期間指示情報を含み、予約期間指示情報が予約可能期間範囲を示すために使用される場合、プロセッサ73によって取得された予約期間指示情報に従って、予約可能期間範囲内の任意の期間が予約期間であると判定し、またはプロセッサ73によって取得された予約指示情報が予約期間指示情報と、予約インジケータフィールド長を搬送する情報とを含む場合、予約範囲指示情報と、プロセッサ73によって取得された予約インジケータフィールド長を搬送する情報とに従って予約期間を判定する、よう特に構成される。
【０２７５】
本発明のこの実施形態では、さらに、プロセッサ73は、送信器71が第1のリソースブロックを用いて第1のメディアアクセス制御MACプロトコルデータユニットPDUを送信する前に、コンテンション・リソース・プールを監視するようさらに構成される。
【０２７６】
さらに、プロセッサ73は、コンテンション・リソース・プール内のリソースブロックの予約状況であり、監視することでプロセッサ73によって取得された予約状況に従って第2のリソース・フィードバック・フィールドを判定するようさらに構成され、ここで、第2のリソース・フィードバック・フィールドは、第1のMAC PDUが送信される前にコンテンション・リソース・プール内のリソースブロックの予約状況を示すために使用される。
【０２７７】
第1のリソースブロックを使用して送信器71によって送信された第1のMAC PDUは、第2のリソース・フィードバック・フィールドをさらに搬送する。
【０２７８】
本発明のこの実施形態において、さらに、プロセッサ73によって取得された構成情報は、リソースフィードバック情報をさらに含む。
【０２７９】
プロセッサ73は、プロセッサ73が取得したリソースフィードバック情報と、コンテンション・リソース・プール内のリソースブロックの予約状況であり、監視することでプロセッサ73によって取得された予約状況とに従って、第2のリソース・フィードバック・フィールドを生成するよう特に構成される。
【０２８０】
本発明のこの実施形態では、さらに、プロセッサ73によって取得されるリソースフィードバック情報は、リソース・フィードバック・フィールドを搬送するための条件についての情報および／またはリソース・フィードバック・フィールド長を搬送する情報を含む。
【０２８１】
プロセッサ73は、プロセッサ73によって取得されたリソースフィードバック情報がリソース・フィードバック・フィールドを搬送するための状況についての情報を含む場合、リソース・フィードバック・フィールドを搬送するための状況についての情報であり、プロセッサ73によって取得された情報であると判定された場合、リソース・フィードバック・フィールド長を搬送する所定の情報に従って、およびコンテンション・リソース・プール内のリソースブロックの予約状況であって、監視することでプロセッサ73により取得される予約状況に従って、第2のリソース・フィードバック・フィールドを生成するか、またはプロセッサ73によって取得されたリソースフィードバック情報が、リソース・フィードバック・フィールド長を搬送する情報を含む場合、リソース・フィードバック・フィールド長を搬送し、プロセッサ73によって取得されたリソースフィードバック情報に含まれる情報に従って、およびコンテンション・リソース・プール内のリソースブロックの予約状況であり、監視することでプロセッサ73によって取得される予約状況に従って、第2のリソース・フィードバック・フィールドを生成するか、またはプロセッサ73によって取得されたリソースフィードバック情報がリソース・フィードバック・フィールドを搬送するための状況についての情報およびリソース・フィードバック・フィールド長を搬送する情報を含む場合、リソース・フィードバック・フィールドを搬送するための状況についての情報であり、プロセッサ73によって取得されたものであると判定された場合、リソース・フィードバック・フィールド長を搬送し、プロセッサ73によって取得されたリソースフィードバック情報に含まれる情報に従って、およびコンテンション・リソース・プール内のリソースブロックの予約状況であり、監視することでプロセッサ73によって取得される予約状況に従って、第2のリソース・フィードバック・フィールドを生成する、よう特に構成される。
【０２８２】
本発明のこの実施形態では、さらに、プロセッサ73は、所定の構成情報を取得するよう特に構成される。
【０２８３】
あるいは、受信器72は、ネットワーク装置によって送信された構成情報を受信するようさらに構成される。
【０２８４】
本発明のこの実施形態では、さらに、第1の予約インジケータフィールドは、送信器71によって送信された第1のMAC PDUのMACヘッダに含まれる。MACヘッダは、第1のMAC PDUが第2のリソース・フィードバック・フィールドを搬送するかどうかを示すために、拡張インジケータフィールドをさらに含み、第1のMAC PDUが第2のリソース・フィードバック・フィールドを搬送することを拡張インジケータフィールドが示す場合、第2のリソース・フィードバック・フィールドが、送信器71によって送信された第1のMAC PDUのMACヘッダに含まれる。
【０２８５】
本発明のこの実施形態では、さらに、送信器71によって送信された第1のMAC PDUが第1の予約インジケータフィールドを搬送する場合、第1の予約インジケータフィールドは、送信器71によって送信された第1のMAC PDUのペイロードpayloadフィールドに含まれ、送信器71によって送信された第1のMAC PDUのMACヘッダがMACサブヘッダを含み、MACサブヘッダに対応するデータが第1の予約インジケータフィールドであることを示し、または送信器71によって送信された第1のMAC PDUが第1の予約インジケータフィールドと第2のリソース・フィードバック・フィールドとを搬送する場合、第1の予約インジケータフィールドおよび第2のリソース・フィードバック・フィールドは、送信器71によって送信された第1のMAC PDUのpayloadフィールドに含まれ、送信器71によって送信された第1のMAC PDUのMACヘッダがMACサブヘッダを含み、MACサブヘッダに対応するデータが第1の予約インジケータフィールドと第2のリソース・フィードバック・フィールドであることを示す。
【０２８６】
本発明のこの実施形態で提供される第1の端末装置内の機能モジュールの具体的な動作処理について、方法実施形態において対応する処理の具体的な説明を参照することができ、詳細は、本発明のこの実施形態において、本明細書では再度説明しないことが理解されよう。
【０２８７】
本発明のこの実施形態で提供される第1の端末装置は、第1のリソースブロックを使用することによって、第1のリソースブロックを予約するよう指示するために使用される第1の予約インジケータフィールドを搬送する第1のMAC PDUを送信し、次いで、第2のリソースブロックを使用して第2の端末装置のセットによって送信され、第1のリソースブロックが正常に予約されたことを示すために使用される第1のリソース・フィードバック・フィールドを搬送する第2のMAC PDUを受信すると、第2の端末装置のセット内の第2の端末装置によって送信された第2のMAC PDUで搬送された第1のリソース・フィードバック・フィールドに従って、第1のリソースブロックが、新たなMAC PDUを送信するために使用されるリソースブロックであると判定し、第1のリソースブロックを使用することによって新たなMAC PDUを送信する。第1の予約インジケータフィールドの指示に従って第1のリソースブロックを予約し、別の端末装置によって送信された受信MAC PDUで搬送されたリソース・フィードバック・フィールドに従って、第1のリソースブロックが正常に予約された、すなわち、リソース衝突が発生しなかったと判定すると、第1の端末装置は、第1のリソースブロックを使用して新たなMAC PDUを送信し続け、または別の端末装置によって送信された受信MAC PDUで搬送されたリソース・フィードバック・フィールドに従って、第1のリソースブロックが正常に予約されなかった、すなわち、リソース衝突が発生したと判定すると、第1の端末装置は、新たなリソースブロックを再選択して、新たなMAC PDUを送信する。したがって、送信リソース衝突率が効果的に低減され、伝送効率が向上する。
【０２８８】
また、第1のリソースブロックは、構成情報内の予約指示情報に従って決定され、第1の端末装置が第1のリソースブロックを予約することができる期間を使用して予約され、その結果、端末装置は特定のリソースブロックを使用し続けることができなくなり、ネットワークリソースが公平に割り当てられる。
【０２８９】
本発明の別の実施形態は、ネットワーク装置を提供する。図18に示すように、ネットワーク装置は、送信器81を含むことができる。
【０２９０】
送信器81は、予約指示情報を含む構成情報を第1の端末装置に送信するよう構成される。
【０２９１】
本発明のこの実施形態において、さらに、送信器81によって送信される予約指示情報は、予約可能期間もしくは予約可能期間範囲を示すために、予約期間指示情報を含み、または
送信器81によって送信された予約指示情報は、予約期間指示情報と予約インジケータフィールド長を搬送する情報とを含む。
【０２９２】
本発明のこの実施形態では、さらに、送信器81によって送信された構成情報は、リソースフィードバック情報をさらに含み、リソースフィードバック情報は、リソース・フィードバック・フィールドを搬送するための状況についての情報および／またはリソース・フィードバック・フィールド長を搬送する情報を含む。
【０２９３】
本発明のこの実施形態では、さらに、送信器81は、システム情報または無線リソース制御RRCシグナリングを用いて第1の端末装置に構成情報を送信するよう特に構成される。
【０２９４】
本発明のこの実施形態において、さらに、送信器81によって送信された構成情報は、コンテンション・リソース・プールについての情報をさらに含む。
【０２９５】
本発明のこの実施形態で提供されるネットワーク装置内の機能モジュールの具体的な動作処理について、方法実施形態において対応する処理の具体的な説明を参照することができ、詳細は、本発明のこの実施形態において、本明細書では再度説明しないことが理解されよう。
【０２９６】
本発明のこの実施形態で提供されるネットワーク装置は、予約指示情報を含む構成情報を第1の端末装置に送信する。したがって、第1の端末装置は、予約指示情報に従って判定され、第1のリソースブロックが予約される可能性がある期間に従って第1のリソースブロックを予約することができ、その結果、端末装置が特定のリソースブロックを使用し続けることができなくなり、ネットワークリソースが公平に割り当てられる。
【０２９７】
実装態様に関する上記の説明によれば、当業者は、簡潔で簡便な説明のために、上記の機能モジュールの分割は、図示のための一例として使用されることが明確に理解されよう。実際の用途において、上記機能は、要求に従って異なる機能モジュールに割り当てられ、実現することができ、すなわち、装置の内部構造は、上記の機能の全てまたはいくつかを実現するために、異なる機能モジュールに分割される。
【０２９８】
本発明において提供された、いくつかの実施形態において、開示した装置および方法は、他の方法で実現してもよいことを理解すべきである。例えば、説明した装置実施形態は、単なる例示である。例えば、モジュールまたはユニット区分は、単なる論理機能区分であり、実際の実装において、他の区分としてもよい。例えば、複数のユニットまたは構成要素を、別の装置に結合または統合してもよく、またはいくつかの機能を無視するか、または実行しなくてもよい。さらに、示したまたは説明した相互結合または直接結合または通信接続は、何らかのインターフェースを使用することによって実現してもよい。装置またはユニット間の間接結合または通信接続は、電気的、機械的、または他の形式で実現することができる。
【０２９９】
別個の部品として記載されたユニットは、物理的に分離されていてもされていなくてもよく、ユニットとして示された部品は、1つまたは複数の物理ユニットであってもよく、1つの場所に配置してもよく、または異なる場所に分散させてもよい。いくつかの、または全てのユニットは、本実施形態の解決策の目的を達成するために、実際の必要性に従って選択することができる。
【０３００】
さらに、本発明の実施形態における機能ユニットは、1つの処理ユニットに統合してもよく、またはユニットのそれぞれは、物理的に独立して存在してもよく、または2つ以上のユニットを1つのユニットに統合してもよい。統合されたユニットは、ハードウェアの形態で実装してもよく、またはソフトウェア機能ユニットの形態で実装してもよい。
【０３０１】
統合されたユニットが、ソフトウェア機能ユニットの形式で実装され、および独立の製品として販売もしくは使用される場合、統合されたユニットは、読込み可能ストレージ媒体に格納してもよい。そのような理解に基づいて、本発明の本質的な技術的解決策、または先行技術に起因する部分、または技術的解決策の全てもしくは一部は、ソフトウェア製品の形態で実現してもよい。ソフトウェア製品は、ストレージメディアに格納され、デバイス（シングルチップマイクロコンピュータまたはチップなどとすることができる）またはプロセッサ（processor）に指示するためのいくつかの命令を含み、本発明の実施形態で説明した方法のステップの全てまたはいくつかを実行する。上記のストレージメディアは、USBフラッシュドライブ、リムーバブルハードディスク、リードオンリーメモリ（英語：Read−Only Memory、略して、ROM）、ランダムアクセスメモリ（英語：Random Access Memory、略して、RAM）、磁気ディスク、または光ディスクなどの、プログラムコードを格納することができる任意のメディアを含む。
【０３０２】
上記の説明は、本発明の単なる特定の実装態様であり、本発明の保護範囲を限定する意図はない。本発明で開示される技術的範囲内で当業者によって容易に理解される任意の変更例または代替例は、本発明の保護範囲内である。したがって、本発明の保護範囲は、特許請求の範囲の保護範囲に従う。
【符号の説明】
【０３０３】
1  車両
2  車両
3  車両
4  車両
11  送信ユニット
12  受信ユニット
13  判定ユニット
14  取得ユニット
15  起動ユニット
16  構成ユニット
17  監視ユニット
18  選択ユニット
21  送信ユニット
71  送信器
72  受信器
73  プロセッサ
81  送信器
【図１】
0006505870.tif 000002
【図２】
0006505870.tif 000003
【図３】
0006505870.tif 000004
【図４】
0006505870.tif 000005
【図５】
0006505870.tif 000006
【図６】
0006505870.tif 000007
【図７】
0006505870.tif 000008
【図８】
0006505870.tif 000009
【図９】
0006505870.tif 000010
【図１０Ａ】
0006505870.tif 000011
【図１０Ｂ】
0006505870.tif 000012
【図１１】
0006505870.tif 000013
【図１２】
0006505870.tif 000014
【図１３】
0006505870.tif 000015
【図１４】
0006505870.tif 000016
【図１５Ａ】
0006505870.tif 000017
【図１５Ｂ】
0006505870.tif 000018
【図１６】
0006505870.tif 000019
【図１７】
0006505870.tif 000020
【図１８】
0006505870.tif 000021